(57)【要約】【課題】機器間インタラクティブサービスに基づいてユーザ同士でリアルタイムで経験を共有できるコンテンツ共有方法及びシステムを提供する。【解決手段】第１通信機器でインタラクティブサービスが提供される間に、少なくとも一つの第１周辺機器にコンテンツ共有要求を伝送する段階と、コンテンツ共有要求に応答した少なくとも一つの第２周辺機器から、コンテンツとコンテンツ関連情報のうち少なくとも一つの情報を受信する段階と、受信された情報を、インタラクティブサービスに連結された少なくとも一つの第２通信機器に伝送する段階と、を含む第１通信機器によって行われ、少なくとも一つの第１周辺機器は、少なくとも一つの第２周辺機器を備えるコンテンツ共有方法。【選択図】図２
2014021988.tif 000002
【特許請求の範囲】
【請求項１】
第１通信機器でインタラクティブサービスが提供される間に、少なくとも一つの第１周辺機器にコンテンツ共有要求を伝送する段階と、
前記コンテンツ共有要求に応答した少なくとも一つの第２周辺機器から、コンテンツとコンテンツ関連情報のうち少なくとも一つの情報を受信する段階と、
前記受信された情報を、前記インタラクティブサービスに連結された少なくとも一つの第２通信機器に伝送する段階と、を含む第１通信機器によって行われ、
前記少なくとも一つの第１周辺機器は、前記少なくとも一つの第２周辺機器を備えるコンテンツ共有方法。
【請求項２】
前記受信された情報を前記少なくとも一つの第２通信機器に伝送する段階は、前記インタラクティブサービスと異なる通信サービスによって行われることを特徴とする請求項１に記載の第１通信機器によって行われるコンテンツ共有方法。
【請求項３】
前記コンテンツは、前記少なくとも一つの第２周辺機器によって再生中であるか、または前記少なくとも一つの第２周辺機器に保存されているコンテンツを含むことを特徴とする請求項１に記載の第１通信機器によって行われるコンテンツ共有方法。
【請求項４】
前記コンテンツ関連情報は、前記コンテンツを提供した前記少なくとも一つの第２周辺機器の識別情報、前記コンテンツの識別情報、前記コンテンツの再生同期化情報、及び前記コンテンツの位置情報を含む請求項１に記載の第１通信機器によって行われるコンテンツ共有方法。
【請求項５】
前記少なくとも一つの第２周辺機器から、前記コンテンツと前記コンテンツ関連情報のうち少なくとも一つの情報を受信する段階は、
前記少なくとも一つの第２周辺機器から、前記コンテンツと前記コンテンツ関連情報のうち少なくとも一つを受信する段階と、
前記少なくとも一つの第２周辺機器のリストを表示する段階と、
前記表示されるリストに基づいて一つの周辺機器を選択する段階と、
前記選択された周辺機器から受信された前記コンテンツと前記コンテンツ関連情報のうち少なくとも一つの情報を、前記受信された情報として定める段階と、を含む請求項１に記載の第１通信機器によって行われるコンテンツ共有方法。
【請求項６】
少なくとも一つの第２通信機器と通信する第１通信部と、
少なくとも一つの周辺機器と通信する第２通信部と、
前記第１通信部を介して前記少なくとも一つの第２通信機器とのインタラクティブサービスが提供される間に、前記少なくとも一つの周辺機器によって再生中であるか、または前記少なくとも一つの周辺機器に保存されているコンテンツを、前記少なくとも一つの第２通信機器と共有可能にする少なくとも一つのプログラム及びデータを保存する保存部と、
ユーザの入力情報を受信し、前記インタラクティブサービス及び前記コンテンツ共有に基づいた情報を出力する情報入出力部と、
前記第１通信部を介して前記インタラクティブサービスが提供される間に、前記第２通信部を介して少なくとも一つの第１周辺機器にコンテンツ共有要求を伝送し、前記コンテンツ共有要求に応答した少なくとも一つの第２周辺機器から、コンテンツとコンテンツ関連情報のうち少なくとも一つの情報を受信し、前記受信された情報を前記少なくとも一つの通信機器に伝送するプロセッサと、を備え、
前記少なくとも一つの周辺機器は、前記少なくとも一つの第１周辺機器を備え、前記少なくとも一つの第１周辺機器は、前記少なくとも一つの第２周辺機器を備える第１通信機器。
【請求項７】
第１通信機器によるコンテンツ共有方法を行わせる命令語を含む一つ以上のプログラムが記録されたコンピュータで読み取り可能な記録媒体において、
前記第１通信機器によるコンテンツ共有方法は、
インタラクティブサービスが提供される間に、少なくとも一つの第１周辺機器にコンテンツ共有要求を伝送する段階と、
前記コンテンツ共有要求に応答した少なくとも一つの第２周辺機器から、コンテンツとコンテンツ関連情報のうち少なくとも一つの情報を受信する段階と、
前記受信された情報を、前記インタラクティブサービスに連結された少なくとも一つの第２通信機器に伝送する段階と、を含み、
前記少なくとも一つの第１周辺機器は、前記少なくとも一つの第２周辺機器を備えるコンピュータで読み取り可能な記録媒体。
【請求項８】
インタラクティブサービスが提供される間に、前記インタラクティブサービスによって第２通信機器と連結された少なくとも一つの第１通信機器から、コンテンツとコンテンツ関連情報のうち少なくとも一つの情報を受信する段階と、
前記受信されたコンテンツと前記コンテンツ関連情報のうち少なくとも一つの情報に基づいて、前記第２通信機器に連関する少なくとも一つの周辺機器にコンテンツ再生または保存要求信号を伝送する段階と、を含む第２通信機器によって行われるコンテンツ共有方法。
【請求項９】
前記コンテンツと前記コンテンツ関連情報のうち少なくとも一つの情報を受信する段階は、前記インタラクティブサービスと異なる通信サービスによって行われることを特徴とする請求項８に記載の第２通信機器によって行われるコンテンツ共有方法。
【請求項１０】
前記コンテンツは、前記少なくとも一つの第１通信機器に連関する少なくとも一つの周辺機器によって再生されるか、または前記少なくとも一つの周辺機器に保存されているコンテンツを含む請求項８に記載の第２通信機器によって行われるコンテンツ共有方法。
【請求項１１】
前記コンテンツ再生または保存要求信号を伝送する段階は、
前記第２通信機器に連関する前記少なくとも一つの周辺機器のリストを表示する段階と、
前記表示されるリストから一つの周辺機器を選択する段階と、
前記選択された周辺機器に前記コンテンツ再生または保存要求信号を伝送する段階と、を含む請求項８に記載の第２通信機器によって行われるコンテンツ共有方法。
【請求項１２】
前記方法は、
前記第２通信機器に連関する前記少なくとも一つの周辺機器によるコンテンツ再生または保存を制御した後、
前記第２通信機器による前記第１通信機器とのインタラクティブサービスを前記少なくとも一つの周辺機器によって続けて行うように、前記少なくとも一つの周辺機器を制御する段階をさらに含む請求項８に記載の第２通信機器によって行われるコンテンツ共有方法。
【請求項１３】
少なくとも一つの第１通信機器と通信する第１通信部と、
少なくとも一つの周辺機器と通信する第２通信部と、
前記第１通信部を介して前記少なくとも一つの第１通信機器とのインタラクティブサービスが提供される間に、前記第１通信機器及び前記周辺機器を用いてコンテンツ共有可能にする少なくとも一つのプログラム及びデータを保存する保存部と、
ユーザの入力情報を受信し、前記インタラクティブサービス及び前記コンテンツ共有に基づいた情報を出力する情報入出力部と、
前記第１通信部を介して前記少なくとも一つの第１通信機器との前記インタラクティブサービスが提供される間に、前記第１通信部を介して前記少なくとも一つの第１通信機器からコンテンツとコンテンツ関連情報のうち少なくとも一つの情報を受信し、前記第２通信部を介して前記受信された情報に基づいて、前記少なくとも一つの周辺機器にコンテンツ再生または保存要求信号を伝送するプロセッサと、を備える第２通信機器。
【請求項１４】
第２通信機器によって行われるコンテンツ共有方法を行わせる命令語を含む一つ以上のプログラムが記録された、コンピュータで読み取り可能な記録媒体において、
前記第２通信機器によって行われるコンテンツ共有方法は、
インタラクティブサービスが提供される間に、前記インタラクティブサービスによって前記第２通信機器と連結された少なくとも一つの第１通信機器から、コンテンツとコンテンツ関連情報のうち少なくとも一つの情報を受信する段階と、
前記受信されたコンテンツと前記コンテンツ関連情報のうち少なくとも一つの情報に基づいて、少なくとも一つの周辺機器にコンテンツ再生または保存要求信号を伝送する段階と、を含むコンピュータで読み取り可能な記録媒体。
【請求項１５】
コンテンツを再生及び／または保存している少なくとも一つの第１周辺機器と、
インタラクティブサービスが提供される間に、前記少なくとも一つの周辺機器からコンテンツ関連情報を受信し、前記受信されたコンテンツ関連情報に基づいてコンテンツ実行情報を生成する第１通信機器と、
前記コンテンツを再生及び／または保存できる少なくとも一つの第２周辺機器と、
前記第１通信機器との前記インタラクティブサービスが提供される間に前記コンテンツ実行情報を受信し、前記受信されたコンテンツ実行情報に基づいて、前記少なくとも一つの第２周辺機器による前記コンテンツ再生または保存を制御する第２通信機器と、を備えるコンテンツ共有システム。
【発明の詳細な説明】
【技術分野】
【０００１】
本発明は、コンテンツ共有に係り、特に、インタラクティブサービスの可能な機器を用いたコンテンツ共有方法及びシステムと記録媒体に関する。
【背景技術】
【０００２】
機器間インタラクティブサービスは、機器間に互いに情報を送受信できる通信サービスであり、双方向通信サービス（ｔｗｏ−ｗａｙ ｃｏｍｍｕｎｉｃａｔｉｏｎ ｓｅｒｖｉｃｅ ｏｒ ｂｉｄｉｒｅｃｔｉｏｎ ｃｏｍｍｕｎｉｃａｔｉｏｎ ｓｅｒｖｉｃｅ）を含む。例えば、メッセンジャーサービス、映像及び音声基盤通話サービス及び音声基盤通話サービスなどが機器間インタラクティブサービスに含まれる。
【０００３】
このような機器間インタラクティブサービスの利用が増加するにつれて、機器間インタラクティブサービス環境に基づいた多様なサービスが提案されている。
【先行技術文献】
【特許文献】
【０００４】
【特許文献１】韓国特許出願公開第１０−２００７−００７０８６５号公報
【発明の概要】
【発明が解決しようとする課題】
【０００５】
本発明が解決しようとする課題は、機器間インタラクティブサービスに基づいてユーザ同士でコンテンツを共有する方法及びシステム、その機器と記録媒体を提供するところにある。
【０００６】
本発明が解決しようとする他の課題は、機器間インタラクティブサービスを行っている間にサービスユーザ同士でリアルタイムでコンテンツを共有する方法及びシステム、その機器と記録媒体を提供するところにある。
【課題を解決するための手段】
【０００７】
上記課題を解決するための本発明の実施形態による機器により行われるコンテンツ共有方法は、インタラクティブサービスの提供中に少なくとも一つの第１周辺機器にコンテンツ共有要求を伝送する段階と、上記コンテンツ共有要求に応答した少なくとも一つの第２周辺機器から、コンテンツと上記コンテンツ関連情報のうち少なくとも一つの情報を受信する段階と、上記受信された少なくとも一つの情報を上記インタラクティブサービスに連結された少なくとも一つの通信機器に伝送する段階と、を含み、上記少なくとも一つの第１周辺機器は、上記少なくとも一つの第２周辺機器を備えることが望ましい。
【０００８】
上記受信された情報を伝送する段階は、上記インタラクティブサービスと異なる通信サービスによって行われることが望ましい。
【０００９】
上記コンテンツ共有方法は、上記少なくとも一つの通信機器によるコンテンツ共有受諾如何を確認する段階をさらに含むことが望ましい。
【００１０】
上記コンテンツは、上記少なくとも一つの第２周辺機器により再生中または上記少なくとも一つの第２周辺機器に保存されたコンテンツ、または少なくとも一つの第２周辺機器に保存されたコンテンツリストに含まれたコンテンツを含むことが望ましい。
【００１１】
上記コンテンツ関連情報は、上記少なくとも一つの第２周辺機器の識別情報、上記コンテンツの識別情報、上記コンテンツの再生同期化情報、及び上記コンテンツの位置情報を含むことが望ましい。
【００１２】
上記受信された情報を伝送する段階は、上記受信された情報を表示する段階を含むことが望ましい。
【００１３】
上記コンテンツ共有要求を伝送する段階は、上記少なくとも一つの第１周辺機器に上記コンテンツ共有要求をブロードキャストする段階を含むことが望ましい。
【００１４】
上記情報を受信する段階は、上記少なくとも一つの第２周辺機器から、上記コンテンツと上記コンテンツ関連情報のうち少なくとも一つを受信する段階と、上記少なくとも一つの第２周辺機器に関するリストを表示する段階と、上記表示されるリストに基づいて一つの周辺機器を選択する段階と、上記選択された周辺機器から受信された上記コンテンツと上記コンテンツ関連情報のうち少なくとも一つの情報を、上記受信された情報として定める段階と、を含むことが望ましい。
【００１５】
上記少なくとも一つの第２周辺機器は、上記コンテンツを再生中または上記コンテンツを保存している機器であることが望ましい。
【００１６】
上記コンテンツ共有要求を伝送する段階は、上記機器のユーザの要求に応じて行われることが望ましい。
【００１７】
上記コンテンツ共有要求を伝送する段階は、上記少なくとも一つの第１周辺機器に関するリストを表示する段階と、上記表示されるリストに基づいて一つの周辺機器を選択する段階と、上記選択された周辺機器に上記コンテンツ共有要求を伝送する段階と、を含むことが望ましい。
【００１８】
上記課題を解決するための本発明の実施形態による機器は、少なくとも一つの通信機器と通信する第１通信部と、少なくとも一つの周辺機器と通信する第２通信部と、上記第１通信部を通じて上記少なくとも一つの通信機器とのインタラクティブサービスの提供中に、上記少なくとも一つの周辺機器で再生中または上記周辺機器に保存されたコンテンツを上記通信機器と共有可能にする少なくとも一つのプログラム及びデータを保存する保存部と、ユーザの入力情報を受信し、上記インタラクティブサービス及び上記コンテンツ共有に基づいた情報を出力する情報入出力部と、上記第１通信部を通じて上記インタラクティブサービスの提供中に、上記第２通信部を通じて上記少なくとも一つの第１周辺機器にコンテンツ共有要求を伝送し、上記コンテンツ共有要求に応答した少なくとも一つの第２周辺機器からコンテンツとコンテンツ関連情報のうち少なくとも一つを受信し、上記受信した情報を上記少なくとも一つの通信機器に伝送するプロセッサと、を備えることが望ましい。
【００１９】
上記課題を解決するために本発明の実施形態による機器は、タッチ基盤ユーザ入力情報を受信し、少なくとも一つの通信機器とのインタラクティブサービス及びコンテンツ共有に基づいた情報を表示するタッチスクリーンと、上記タッチスクリーンを制御してユーザインターフェースを提供する少なくとも一つのプロセッサと、上記少なくとも一つの通信機器と通信する第１通信部と、上記共有するコンテンツを再生中や保存中の少なくとも一つの周辺機器と通信する第２通信部と、上記プロセッサによって実行可能に構成された上記インタラクティブサービスの提供中に、上記コンテンツ共有可能にする少なくとも一つのプログラム及びデータを保存する保存部と、を備え、上記プログラムは、インタラクティブサービスの提供中に少なくとも一つの第１周辺機器にコンテンツ共有要求を伝送し、上記コンテンツ共有要求に応答した少なくとも一つの第２周辺機器から、コンテンツとコンテンツ関連情報のうち少なくとも一つの情報を受信し、上記受信された情報を上記少なくとも一つの通信機器に伝送する命令語を含み、上記少なくとも一つの周辺機器は、上記少なくとも一つの第１周辺機器を備え、上記少なくとも一つの第１周辺機器は、上記少なくとも一つの第２周辺機器を備えることが望ましい。
【００２０】
上記課題を解決するために本発明の実施形態による機器により行われるコンテンツ共有方法は、インタラクティブサービスの提供中に上記インタラクティブサービスによって、上記機器と連結された少なくとも一つの通信機器から、コンテンツ共有のためのコンテンツと上記コンテンツ関連情報のうち少なくとも一つの情報を受信する段階と、上記受信されたコンテンツと上記コンテンツ関連情報のうち少なくとも一つの情報に基づいて、上記機器に関する少なくとも一つの周辺機器にコンテンツ再生または保存要求信号を伝送する段階と、を含むことが望ましい。
【００２１】
上記課題を解決するために本発明の実施形態による機器は、少なくとも一つの通信機器と通信する第１通信部と、少なくとも一つの周辺機器と通信する第２通信部と、上記第１通信部を通じて上記少なくとも一つの通信機器とのインタラクティブサービスの提供中に、上記通信機器及び上記周辺機器を用いてコンテンツ共有可能にする少なくとも一つのプログラム及びデータを保存する保存部と、ユーザの入力情報を受信し、上記インタラクティブサービス及び上記コンテンツ共有に基づいた情報を出力する情報入出力部と、上記第１通信部を通じて上記少なくとも一つの通信機器とのインタラクティブサービスの提供中に、上記第１通信部を通じて上記少なくとも一つの通信機器からコンテンツと上記コンテンツ関連情報のうち少なくとも一つの情報を受信し、上記第２通信部を通じて上記受信された少なくとも一つの情報に基づいて、上記周辺機器にコンテンツ再生または保存要求信号を伝送するプロセッサと、を備えることが望ましい。
【００２２】
上記課題を解決するために本発明の実施形態による機器は、タッチ基盤ユーザ入力情報を受信し、少なくとも一つの通信機器とのインタラクティブサービス及びコンテンツ共有に基づいた情報を表示するタッチスクリーンと、上記タッチスクリーンを制御してユーザインターフェースを提供する少なくとも一つのプロセッサと、上記少なくとも一つの通信機器と通信する第１通信部と、上記共有するコンテンツを再生するまたは保存する少なくとも一つの周辺機器と通信する第２通信部と、上記プロセッサによって実行可能に構成された上記インタラクティブサービスの提供中に、上記インタラクティブサービスによって上記機器と連結された少なくとも一つの通信機器及び上記少なくとも一つの周辺機器を用いてコンテンツ共有可能にする少なくとも一つのプログラム及びデータを保存する保存部と、を備え、上記プログラムは、インタラクティブサービスの提供中に、上記少なくとも一つの通信機器からコンテンツ共有のためのコンテンツとコンテンツ関連情報のうち少なくとも一つの情報を受信し、上記受信されたコンテンツと上記コンテンツ関連情報のうち少なくとも一つの情報に基づいて、上記少なくとも一つの周辺機器にコンテンツ再生または保存要求信号を伝送する命令語を含むことが望ましい。
【００２３】
上記課題を解決するために本発明の実施形態による機器により行われるコンテンツ共有方法は、インタラクティブサービスの提供中に少なくとも一つの第１周辺機器にコンテンツ共有要求を伝送する段階と、上記コンテンツ共有要求に応答した少なくとも一つの第２周辺機器からコンテンツを受信する段階と、上記受信されたコンテンツを、上記インタラクティブサービスによって上記機器に連結された少なくとも一つの通信機器に伝送する段階と、を含み、上記少なくとも一つの第１周辺機器は、上記少なくとも一つの第２周辺機器を備えることが望ましい。
【００２４】
上記課題を解決するために本発明の実施形態による機器により行われるコンテンツ共有方法は、インタラクティブサービスの提供中に少なくとも一つの周辺機器からコンテンツを受信する段階と、上記インタラクティブサービスによって上記機器に連結された少なくとも一つの通信機器に上記コンテンツ伝送セッションを要求する段階と、上記通信機器から上記コンテンツ伝送セッションが受諾信号を受信する段階と、上記少なくとも一つの周辺機器から受信されるコンテンツを上記通信機器に伝送する段階と、を含むことが望ましい。
【００２５】
上記課題を解決するために本発明の実施形態による機器により行われるコンテンツ共有方法は、インタラクティブサービスの提供中に少なくとも一つの第１周辺機器にコンテンツ共有要求を伝送する段階と、上記コンテンツ共有要求に応答した少なくとも一つの第２周辺機器からコンテンツ関連情報を受信する段階と、上記受信されたコンテンツ関連情報を、上記インタラクティブサービスによって上記機器に連結された少なくとも一つの通信機器に伝送する段階と、を含み、上記少なくとも一つの第１周辺機器は、上記少なくとも一つの第２周辺機器を備えることが望ましい。
【００２６】
上記課題を解決するための本発明の実施形態による機器により行われるコンテンツ共有方法は、インタラクティブサービスの提供中に共有するコンテンツを再生している少なくとも一つの周辺機器からコンテンツ関連情報を受信する段階と、上記受信されたコンテンツ関連情報に基づいてコンテンツ実行情報を生成する段階と、上記生成されたコンテンツ実行情報を、上記インタラクティブサービスによって機器に連結された少なくとも一つの通信機器に伝送する段階と、を含むことが望ましい。
【００２７】
上記受信されたコンテンツ関連情報に基づいて上記コンテンツ実行情報を生成する段階は、上記インタラクティブサービスに基づいて、上記コンテンツ関連情報を用いたコンテンツ共有要求メッセージを上記少なくとも一つの通信機器に伝送する段階と、上記インタラクティブサービスに基づいて上記少なくとも一つの通信機器からコンテンツ共有受諾メッセージを受信する段階と、上記コンテンツ共有受諾メッセージ受信に応答して、上記コンテンツ関連情報に基づいて上記コンテンツ実行情報を生成する段階と、を含むことが望ましい。
【００２８】
上記受信されたコンテンツ関連情報に基づいて上記コンテンツ実行情報を生成する段階は、上記コンテンツ関連情報を上記機器に表示する段階と、上記表示されるコンテンツ関連情報についてのユーザの承認情報を受信する段階と、上記ユーザの承認情報受信に応答して、上記コンテンツ関連情報を用いた上記コンテンツ共有要求メッセージを上記少なくとも一つの通信機器に伝送する段階と、をさらに含むことが望ましい。
【００２９】
上記生成されたコンテンツ実行情報を伝送する段階は、上記コンテンツ実行情報を上記少なくとも一つの通信機器に伝送後、上記少なくとも一つの通信機器と上記インタラクティブサービスを維持する段階を含むことが望ましい。
【００３０】
上記コンテンツ実行情報を生成する段階は、上記インタラクティブサービスと異なる通信サービスと上記インタラクティブ通信サービスのうち一つに基づいて、上記コンテンツ関連情報を用いたコンテンツ共有要求メッセージを上記少なくとも一つの通信機器に伝送する段階と、上記少なくとも一つの通信機器からコンテンツ共有受諾メッセージを受信する段階と、上記コンテンツ共有受諾メッセージ受信に応答して、上記コンテンツ関連情報に基づいて上記コンテンツ実行情報を生成する段階と、を含むことが望ましい。
【００３１】
上記少なくとも一つの周辺機器からコンテンツ関連情報を受信する段階は、上記少なくとも一つの周辺機器についてのモニタリング動作、上記コンテンツ関連情報についての要求信号を上記少なくとも一つの周辺機器に伝送する動作、及び上記少なくとも一つの周辺機器と上記機器との近距離通信接触動作のうち一つに基づいて行われることが望ましい。
【００３２】
上記コンテンツ実行情報を上記少なくとも一つの通信機器に伝送する段階は、上記コンテンツ実行情報を上記機器に表示する段階を含むことが望ましい。
【００３３】
上記インタラクティブ通信サービスは、メッセンジャーサービス、音声基盤通信サービス、音声及び映像基盤の通信サービスのうち一つを含むことが望ましい。
【００３４】
上記課題を解決するための本発明の実施形態による機器により行われるコンテンツ共有方法は、インタラクティブサービスの提供中に少なくとも一つの通信機器からコンテンツ実行情報を受信する段階と、上記コンテンツ実行情報に基づいて少なくとも一つの周辺機器によるコンテンツ再生を制御する段階と、を含むことが望ましい。
【００３５】
上記少なくとも一つの通信機器から上記コンテンツ実行情報を受信する段階は、上記インタラクティブサービスに基づいて、上記少なくとも一つの通信機器から上記コンテンツ共有要求メッセージを受信する段階と、上記インタラクティブサービスに基づいて、上記コンテンツ共有要求を受諾するメッセージを上記少なくとも一つの通信機器に伝送する段階と、上記インタラクティブサービスに基づいて、上記少なくとも一つの通信機器から上記コンテンツ実行情報を受信する段階と、を含むことが望ましい。
【００３６】
上記コンテンツ再生を制御する段階は、上記少なくとも一つの周辺機器によるコンテンツ再生を制御した後、上記少なくとも一つの通信機器と上記インタラクティブサービスを維持する段階を含むことが望ましい。
【００３７】
上記少なくとも一つの通信機器から上記コンテンツ実行情報を受信する段階は、上記インタラクティブサービスと異なる通信サービスと上記インタラクティブサービスのうち一つに基づいて上記コンテンツ実行情報を受信する段階を含むことが望ましい。
【００３８】
上記少なくとも一つの通信機器から上記コンテンツ実行情報を受信する段階は、上記インタラクティブサービスと上記他の通信サービスのうち一つに基づいて、上記通信機器から上記コンテンツ共有要求メッセージを受信する段階と、上記コンテンツ共有要求を受諾するメッセージを上記少なくとも一つの通信機器に伝送する段階と、上記少なくとも一つの通信機器から上記コンテンツ実行情報を受信する段階と、を含むことが望ましい。
【００３９】
上記機器により行われるコンテンツ共有方法は、少なくとも一つの周辺機器によるコンテンツ再生を制御した後、上記少なくとも一つの通信機器との上記インタラクティブサービスを、上記少なくとも一つの周辺機器により続けて行うように、上記周辺機器を制御する段階をさらに含むことが望ましい。
【００４０】
上記課題を解決するための本発明の実施形態による機器は、少なくとも一つの通信機器と通信する第１通信部と、コンテンツを再生する少なくとも一つの周辺機器と通信する第２通信部と、上記第１通信部を通じて上記少なくとも一つの通信機器とのインタラクティブサービスの提供中に、コンテンツ共有可能にする少なくとも一つのプログラム及びデータを保存する保存部と、ユーザ入力情報を受信し、上記インタラクティブサービス及び上記コンテンツ共有に基づいた情報を出力する情報入出力部と、上記第１通信部を通じて上記インタラクティブサービスの提供中に、上記第２通信部を通じて上記少なくとも一つの周辺機器からコンテンツ関連情報を受信し、上記受信されたコンテンツ関連情報に基づいてコンテンツ実行情報を生成し、上記生成されたコンテンツ実行情報を、上記第１通信部を通じて上記少なくとも一つの通信機器に伝送するプロセッサと、を備えることが望ましい。
【００４１】
上記課題を解決するための本発明の実施形態による機器は、タッチ基盤ユーザ入力情報を受信し、少なくとも一つの通信機器とのインタラクティブサービス及びコンテンツ共有に基づいた情報を表示するタッチスクリーンと、上記タッチスクリーンを制御してユーザインターフェースを提供する少なくとも一つのプロセッサと、上記少なくとも一つの通信機器と通信する第１通信部と、上記共有するコンテンツを再生している少なくとも一つの周辺機器と通信する第２通信部と、上記プロセッサによって実行可能に構成された上記インタラクティブサービスの提供中に、上記コンテンツ共有可能にする少なくとも一つのプログラム及びデータを保存する保存部と、を備え、上記プログラムは、上記インタラクティブサービスの提供中に上記第２通信部を通じて、上記少なくとも一つの周辺機器からコンテンツ関連情報を受信し、上記受信されたコンテンツ関連情報に基づいてコンテンツ実行情報を生成し、上記生成されたコンテンツ実行情報を、上記第１通信部を通じて上記少なくとも一つの通信機器に伝送する命令語を含むことが望ましい。
【００４２】
上記課題を解決するための本発明の実施形態による機器は、少なくとも一つの通信機器と通信する第１通信部と、コンテンツを再生できる少なくとも一つの周辺機器と通信する第２通信部と、上記第１通信部を通じて上記少なくとも一つの通信機器とのインタラクティブサービスの提供中に、コンテンツ共有可能にする少なくとも一つのプログラム及びデータを保存する保存部と、ユーザ入力情報を受信し、上記インタラクティブサービス及び上記コンテンツ共有に基づいた情報を出力する情報入出力部と、上記第１通信部を通じて上記インタラクティブサービスの提供中に、上記第１通信部を通じて上記通信機器からコンテンツ実行情報を受信し、上記コンテンツ実行情報に基づいて、上記第２通信部を通じて上記少なくとも一つの周辺機器によるコンテンツ再生を制御するプロセッサと、を備えることが望ましい。
【００４３】
上記課題を解決するための本発明の実施形態による機器は、タッチ基盤ユーザ入力情報を受信し、少なくとも一つの通信機器とのインタラクティブサービス及びコンテンツ共有に基づいた情報を表示するタッチスクリーンと、上記タッチスクリーンを制御してユーザインターフェースを提供する少なくとも一つのプロセッサと、上記少なくとも一つの通信機器と通信する第１通信部と、上記共有するコンテンツを再生する少なくとも一つの外部機器と通信する第２通信部と、上記プロセッサによって実行可能に構成された上記インタラクティブサービスの提供中に、上記コンテンツ共有可能にする少なくとも一つのプログラム及びデータを保存する保存部と、を備え、上記プログラムは、上記第１通信部を通じてインタラクティブサービスの提供中に、上記少なくとも一つの通信機器からコンテンツ実行情報を受信し、上記第２通信部を通じて上記コンテンツ実行情報に基づいて、上記少なくとも一つの外部機器によるコンテンツ再生を制御する命令語を含むことが望ましい。
【００４４】
上記課題を解決するための本発明の実施形態によるコンテンツ共有システムは、コンテンツを再生している少なくとも一つの第１周辺機器と、インタラクティブサービスの提供中に上記少なくとも一つの第１周辺機器から上記コンテンツ関連情報を受信し、上記受信したコンテンツ関連情報に基づいてコンテンツ実行情報を生成する第１通信機器と、上記コンテンツを再生できる少なくとも一つの第２周辺機器と、上記第１通信機器との上記インタラクティブサービスの提供中に上記コンテンツ実行情報を受信し、上記受信したコンテンツ実行情報に基づいて、上記少なくとも一つの第２周辺機器での上記コンテンツ再生を制御する第２通信機器と、を備えることが望ましい。
【００４５】
上記コンテンツ共有システムは、上記第２通信機器及び上記第２周辺機器をそれぞれ複数備え、上記複数の第２通信機器は、上記第１通信機器と上記インタラクティブ通信サービスを同時に行い、上記複数の第２周辺機器のうち少なくとも一つの第２周辺機器による上記コンテンツ再生を制御することが望ましい。
【００４６】
上記課題を解決するための本発明の実施形態によるコンテンツ共有方法を行う命令語を含む一つ以上のプログラムが記録されたコンピュータで読み取り可能な記録媒体において、上記コンテンツ共有方法は、前述したコンテンツ共有方法と同様に行われる。
【図面の簡単な説明】
【００４７】
【図１】本発明の好適な一実施形態によるコンテンツ共有システムの構成図である。
【図２】図１に示したコンテンツ共有システム基盤のコンテンツ共有を説明する図面である。
【図３】本発明の好適な一実施形態によるコンテンツ共有方法であり、図１に示したコンテンツ共有システム基盤のフローチャートである。
【図４Ａ】図１に示したコンテンツ共有システム基盤の第１通信機器と第２通信機器間画面の一例示図である。
【図４Ｂ】図１に示したコンテンツ共有システム基盤の第１通信機器と第２通信機器間画面の一例示図である。
【図４Ｃ】図１に示したコンテンツ共有システム基盤の第１通信機器と第２通信機器間画面の一例示図である。
【図４Ｄ】図１に示したコンテンツ共有システム基盤の第１通信機器と第２通信機器間画面の一例示図である。
【図５Ａ】図１に示したコンテンツ共有システム基盤の第１通信機器と第２通信機器間画面の他の例示図である。
【図５Ｂ】図１に示したコンテンツ共有システム基盤の第１通信機器と第２通信機器間画面の他の例示図である。
【図５Ｃ】図１に示したコンテンツ共有システム基盤の第１通信機器と第２通信機器間画面の他の例示図である。
【図５Ｄ】図１に示したコンテンツ共有システム基盤の第１通信機器と第２通信機器間画面の他の例示図である。
【図５Ｅ】コンテンツ関連情報を伝送するためのＳＩＰパケットの概略的な構造図である。
【図６】本発明の好適な他の実施形態によるコンテンツ共有方法であり、図１に示したコンテンツ共有システム基盤のフローチャートである。
【図７Ａ】本発明の好適な実施形態によるインタラクティブサービス提供中に他の通信サービスを選択する画面の一例示図である。
【図７Ｂ】本発明の好適な実施形態によるインタラクティブサービス提供中に他の通信サービスを選択する画面の一例示図である。
【図７Ｃ】本発明の好適な実施形態によるインタラクティブサービス提供中に他の通信サービスを選択する画面の一例示図である。
【図８】本発明の好適な実施形態によるインタラクティブサービス提供中に他の通信サービスを選択する画面の他の例示図である。
【図９】本発明の好適な実施形態によるインタラクティブサービスを提供中に他の通信サービスを選択する画面のさらに他の例示図である。
【図１０】本発明の好適なさらに他の実施形態によるコンテンツ共有方法であり、図１に示したコンテンツ共有システム基盤のフローチャートである。
【図１１Ａ】図１０のフローチャートに基づいた機器選択に関する画面の一例示図である。
【図１１Ｂ】図１０のフローチャートに基づいた機器選択に関する画面の一例示図である。
【図１１Ｃ】図１０のフローチャートに基づいた機器選択に関する画面の一例示図である。
【図１２】図１０のフローチャートに基づいた機器選択に関する画面の他の例示図である。
【図１３】本発明の好適なさらに他の実施形態によるコンテンツ共有方法であり、図１に示したコンテンツ共有システム基盤のフローチャートである。
【図１４】図１３のフローチャートに基づいてインタラクティブサービスを続けて提供する画面例示図である。
【図１５】本発明の好適なさらに他の実施形態によるコンテンツ共有方法のフローチャートである。
【図１６Ａ】図１に示した第１通信機器の機能ブロック図である。
【図１６Ｂ】図１に示した第２通信機器の機能ブロック図である。
【図１７】図１６Ａに示した保存部に保存されるプログラム及び／または命令語セット例を示す図面である。
【図１８Ａ】図１に示した第１機器の機能ブロック図である。
【図１８Ｂ】図１に示した第ｎ＋１機器の機能ブロック図である。
【図１９】本発明の好適なさらに他の実施形態によるコンテンツ共有方法で、第１通信機器のフローチャートである。
【図２０】図１９に示したコンテンツ実行情報を生成する過程についての詳細なフローチャートの一例を示す図面である。
【図２１】図１９に示したコンテンツ実行情報を生成する過程についての詳細なフローチャートの他の例示図である。
【図２２】本発明の好適なさらに他の実施形態によるコンテンツ共有方法で、第１通信機器のフローチャートである。
【図２３】本発明の好適なさらに他の実施形態によるコンテンツ共有方法で、第１通信機器のフローチャートである。
【図２４】本発明の好適なさらに他の実施形態によるコンテンツ共有方法で、第２通信機器のフローチャートである。
【図２５】図２４に示したコンテンツ実行情報を受信する過程についての詳細なフローチャートである。
【図２６】本発明の好適なさらに他の実施形態によるコンテンツ共有方法で、第２通信機器のフローチャートである。
【図２７】本発明の好適なさらに他の実施形態によるコンテンツ共有方法で、第２通信機器のフローチャートである。
【図２８】本発明の好適な他の実施形態によるコンテンツ共有システムの構成図である。
【図２９】本発明の好適なさらに他の実施形態によるコンテンツ共有システムの構成図である。
【図３０】図２９のコンテンツ共有システムに基づいたコンテンツ共有方法のフローチャートである。
【図３１】本発明の好適なさらに他の実施形態によるコンテンツ共有システムの構成図である。
【図３２】本発明の好適なさらに他の実施形態によるコンテンツ共有システムの構成図である。
【図３３】図３２コンテンツ共有システムに基づいたコンテンツ共有方法のフローチャートである。
【図３４】図３３のフローチャートで、第１通信機器がコンテンツ再生中の時に、第２通信機器とのインタラクティブサービスを提供するまで第１通信機器における画面例示図である。
【図３５】本発明の好適なさらに他の実施形態によるコンテンツ共有システムの構成図である。
【図３６】本発明の好適なさらに他の実施形態によるコンテンツ共有方法のフローチャートである。
【発明を実施するための形態】
【００４８】
本発明では、多様な変換を加え、かついろいろな実施形態を持つことができるところ、特定の実施形態を図面に例示して詳細な説明で詳細に説明する。しかし、これは本発明を特定の実施形態に限定するものではなく、本発明の思想及び技術範囲に含まれるすべての変換、均等物ないし代替物を含むと理解されねばならない。本発明を説明するに当ってかかる公知技術についての具体的な説明が本発明の趣旨を不明にすると判断される場合、その詳細な説明を略する。
【００４９】
第１、第２の用語は、多様な構成要素の説明に使われるが、構成要素は用語によって限定されてはならない。用語は、一つの構成要素を他の構成要素から区別する目的のみで使われる。
【００５０】
本出願で使った用語は、単に特定の実施形態を説明するために使われたものであり、本発明を限定しようとする意図ではない。本出願で使った用語は本発明における機能を考慮して、なるべく現在広く使われる一般的な用語を選択したが、これは当業者の意図、判例、または新たな技術の出現などによって変わる。また、特定の場合には出願人が任意に選定した用語もあり、この場合、かかる発明の説明部分で詳細にその意味を記載する。したがって、本発明で使われる用語は、単純な用語の名称ではなく、その用語が持つ意味及び本発明の全般にわたる内容に基づいて定義されねばならない。本出願で提示した図面は、単に特定の実施形態を説明するために使われたものであり、本発明を限定しようとする意図ではない。
【００５１】
単数の表現は、文脈上明らかに異なって意味しない限り、複数の表現を含む。例えば、明細書全般のコンテンツは、コンテンツを含む。本出願で、「含む」または「持つ」などの用語は、明細書上に記載の特徴、数字、段階、動作、構成要素、部品またはこれらを組み合わせたものが存在することを指定しようとするものであり、一つまたはそれ以上の他の特徴や数字、段階、動作、構成要素、部品またはこれらを組み合わせたものなどの存在または付加可能性を予め排除しないと理解されねばならない。
【００５２】
明細書全般で呼ばれるコンテンツとは、オーディオ及び／またはビデオ及び／または文字をデジタル信号形式に製作したものであり、コンテンツ再生機器によって再生されるコンテンツを意味する。したがって、コンテンツは、注文型ビデオ（Ｖｉｄｅｏ ｏｎ Ｄｅｍａｎｄ）基盤コンテンツ、ＩＰＴＶ（Ｉｎｔｅｒｎｅｔ Ｐｒｏｔｏｃｏｌ ＴＶ）基盤コンテンツ、ケーブル放送基盤コンテンツ、地上波放送基盤コンテンツ、クラウドサーバ基盤コンテンツ及びコンテンツ提供サーバ基盤コンテンツを含むが、これらに制限されるものではない。コンテンツは、写真のように静止画像基盤コンテンツを含む。
【００５３】
明細書全般で呼ばれるコンテンツ関連情報は、コンテンツを再生または保存している機器の識別情報、コンテンツの識別情報、コンテンツの再生同期化情報、及びコンテンツの位置情報を含む。例えば、コンテンツを再生中の機器がＤＴＶであり、現在再生中のコンテンツがチャネル１１のリアルタイム番組であるとき、コンテンツ関連情報は、ＤＴＶの識別情報、チャネル１１、及びリアルタイム番組名称を含むコンテンツの識別情報、現在時間情報を含むコンテンツの再生同期化情報、及びチャネル１１を含むコンテンツの位置情報を含むが、これらに制限されるものではない。
【００５４】
コンテンツの再生同期化情報は、コンテンツを共有しようとする機器間コンテンツ再生時点を同期化できる情報となる。例えば、現在再生されているコンテンツが「グーグルクラウドサーバの自然ドキュメンタリー」である時、コンテンツの再生同期化情報はコンテンツの再生位置情報を含み、コンテンツ位置情報は「グーグルクラウドサーバ」を含み、コンテンツの識別情報は「自然ドキュメンタリー」を含む。コンテンツの識別情報は、コンテンツの名称、コンテンツの生成日、コンテンツの容量、コンテンツの種類、及びコンテンツ作成者などの情報を含む。
【００５５】
コンテンツ実行情報は、通信機器または通信機器の周辺機器でコンテンツを直ぐ再生または保存できる命令語セットを含む。コンテンツ実行情報は、前述したコンテンツ関連情報に基づいて生成される。例えば、コンテンツ関連情報が前述した「ＤＴＶリンクチャネル１１」である時、コンテンツ実行情報は、「ＴＶ機能全及びＤＴＶリンクチャネル１１を設定せよ」との命令語セットを含む。コンテンツ関連情報が前述した「グーグルクラウドサーバの自然ドキュメンタリー」である時、コンテンツ実行情報は、「コンピュータでグーグルクラウドサーバに接続し自然ドキュメンタリーをダウンロードせよ」との命令語セットを含む。したがって、コンテンツ実行情報は、前述した周辺機器の動作制御情報を含む。例えば、周辺機器がコンテンツ再生装置であれば、コンテンツ実行情報は、コンテンツを再生するためのコンテンツ再生装置の動作制御情報を含む。しかし、コンテンツ関連情報及びコンテンツ実行情報は、前述したように制限されるものではない。
【００５６】
明細書全般のユーザの入力情報は、ユーザのジェスチャーに依存する。ユーザのジェスチャーは、入力装置によって多様に定義される。
【００５７】
すなわち、入力装置がタッチスクリーン基盤である時、ユーザのジェスチャーは、例えば、タップ、タッチ・アンド・ホールド、ダブルタップ、ドラッグ、パンニング、フリック、ドラッグ・アンド・ドロップ、及びスイープ（ｓｗｅｅｐ）などを含むが、これらに制限されるものではない。タッチスクリーン基盤のユーザのジェスチャーは、ユーザの指またはタッチ道具（例えば、ｓｔｙｌｕｓ ｐｅｎ）を用いて行われる。
【００５８】
入力装置がモーションセンサー基盤である時、ユーザの入力情報は、ユーザによる機器の動き（例えば、機器の振り、機器のタッチ）基盤のユーザジェスチャーに依存する。モーションセンサーは、加速度センサー、地磁気センサー、ジャイロセンサー、及び方向（ｏｒｉｅｎｔａｔｉｏｎ）センサーを備える。
【００５９】
入力装置がカメラ基盤である時、ユーザのジェスチャーは、カメラを用いて撮影された映像基盤の空間ジェスチャーを含む。カメラは、イメージセンターまたは光センサー基盤で構成される。
【００６０】
また、入力装置が物理的ボタン、ダイヤル、スライダスイッチ、ジョイスティック、クリックホイールなどを含む時、ユーザ入力情報は、入力装置に対するユーザの物理的な制御に依存する。入力装置がオーディオ入力装置基盤である時、ユーザ入力情報は、自然語（ｎａｔｕｒａｌ ｌａｎｇｕａｇｅ）基盤のユーザの音声認識に依存する。
【００６１】
以下、本発明の実施形態を添付図面を参照して詳細に説明するが、添付図面を参照して説明するにあたって、同一または対応する構成要素には同じ図面番号を付与し、これについての重なる説明は略する。
【００６２】
図１は、本発明の好適な一実施形態によるコンテンツ共有システム１００の構成図であり、インタラクティブサービスが１：１に提供され、インタラクティブサービスを行う通信機器の周辺機器が複数である例である。しかし、コンテンツ共有システム１００は、後述する図３３に示したように、インタラクティブサービスを行う通信機器に一つの周辺機器を持つように変形される。
【００６３】
インタラクティブサービスは、機器間でデータを送受信できるサービスであり、双方向通信サービスと呼ばれる。インタラクティブサービスは、メッセンジャーサービス、音声基盤通信サービス、音声及び映像基盤通信サービスを含むが、これらに制限されるものではない。インタラクティブサービスは、ＳＩＰ（Ｓｅｓｓｉｏｎ Ｉｎｉｔｉａｔｉｏｎ Ｐｒｏｔｏｃｏｌ）に基づいて機器間でマルチメディア通信セッションを生成、削除または変更するための手続きを行える。
【００６４】
メッセンジャーサービスは、カカオトーク（ｋａｋａｏｔａｌｋ）、チャットオン（Ｃｈａｔｏｎ）などのメッセンジャーサービスを含むが、これらに制限されるものではない。音声基盤通信サービスは、３Ｇ（Ｇｅｎｅｒａｔｉｏｎ）、４Ｇ（Ｇｅｎｅｒａｔｉｏｎ）ＬＴＥ（Ｌｏｎｇ Ｔｅｒｍ Ｅｖｏｌｕｔｉｏｎ）、ＶｏＩＰ（Ｖｏｉｃｅ ｏｖｅｒ Ｉｎｔｅｒｎｅｔ Ｐｒｏｔｏｃｏｌ）基盤の音声通話サービスを含む。音声及び映像基盤通信サービスは、Ｆａｃｅｔｉｍｅ、Ｓｋｙｐｅなどの３Ｇ、４ＧＬＴＥ、ＶｏＩＰ基盤映像通話サービスを含むが、これらに制限されるものではない。
【００６５】
図１を参照すれば、コンテンツ共有システムは、第１通信機器１０、第２通信機器２０、第１−ｎ機器３０＿１〜３０＿ｎ、第ｎ＋１〜第ｎ＋ｍ機器４０＿１〜４０＿ｍ、ネットワーク５０、及びサーバ６０を備える。
【００６６】
第１通信機器１０及び第２通信機器２０は、それぞれ前述したインタラクティブサービスを行える機器である。このために、第１通信機器１０及び第２通信機器２０には、前述したインタラクティブサービスを行えるアプリケーションプログラムが設けられている。インタラクティブサービスの実行は、インタラクティブサービスの提供で言及される。よって、以下で述べるインタラクティブサービスの実行は、インタラクティブサービスの提供と、インタラクティブサービス実行中は、インタラクティブサービス提供中と理解される。
【００６７】
第１通信機器１０及び第２通信機器２０は、スマートフォン、ノート型パソコン、タブレットパソコン、移動端末、ハンドヘルド機器またはハンドヘルドパソコン、及びＰＤＡ（Ｐｅｒｓｏｎａｌ Ｄｉｇｉｔａｌ Ａｓｓｉｓｔａｎｔ）などの機器を備えるが、これらに制限されるものではない。
【００６８】
第１通信機器１０及び第２通信機器２０は、同種の機器であってもよく、異種の機器であってもよい。例えば、図１に示したように、第１通信機器１０及び第２通信機器２０ともスマートフォンである。しかし、第１通信機器１０はスマートフォンであり、第２通信機器２０はタブレットパソコンであるか、または第１通信機器１０はタブレットパソコンであり、第２通信機器２０はスマートフォンである。第１通信機器１０と第２通信機器２０との機器の種類は前述した通りに制限されるものではない。
【００６９】
第１〜第ｎ機器３０＿１〜３０＿ｎ及び第ｎ＋１〜第ｎ＋ｍ機器４０＿１〜４０＿ｍは、コンテンツを再生及び／または保存できる機器である。したがって、第１〜第ｎ機器３０＿１〜３０＿ｎ及び第ｎ＋１〜第ｎ＋ｍ機器４０＿１〜４０＿ｍは、コンテンツ再生及び／または保存器、またはマルチメディア再生及び／または保存器、またはメディア再生及び／または保存器と呼ばれる。第１〜第ｎ機器３０＿１〜３０＿ｎ及び第ｎ＋１〜第ｎ＋ｍ機器４０＿１〜４０＿ｍは、通信機能を持つＴＶ、通信機能を持つオーディオ再生システム、ノート型パソコン、タブレットパソコン、デスクトップパソコン、マルチメディアプレーヤー、及び通信機能及びディスプレイ機能を持つデジタルＣＥ（Ｃｏｎｓｕｍｅｒ Ｅｌｅｃｔｒｏｎｉｃｓ）機器を備えるが、これらに制限されるものではない。第１〜第ｎ機器３０＿１〜３０＿ｎは、第１通信機器１０の周りに位置している機器であり、周辺機器または外部機器と呼ばれる。第ｎ＋１〜第ｎ＋ｍ機器４０＿１〜４０＿ｍは、第２通信機器２０の周りに位置している機器であり、周辺機器または外部機器と呼ばれる。
【００７０】
第１〜第ｎ機器３０＿１〜３０＿ｎ及び第ｎ＋１〜第ｎ＋ｍ機器４０＿１〜４０＿ｍは、対応する第１通信機器１０及び第２通信機器２０と有線または無線で連結される。第１〜第ｎ機器３０＿１〜３０＿ｎは、第１通信機器１０によって機能が制御され、第１通信機器１０とデータを送受信する。第ｎ＋１〜第ｎ＋ｍ機器４０＿１〜４０＿ｍは第２通信機器２０によって制御され、第２通信機器２０とデータを送受信できる。第１通信機器１０と第１〜第ｎ機器３０＿１〜３０＿ｎとの間に送受信されるデータは、コンテンツ関連情報及びコンテンツのうち少なくとも一つの情報を含むが、これに制限されるものではない。第２通信機器２０と第ｎ＋１〜第ｎ＋ｍ機器４０＿１〜４０＿ｍとの間に送受信されるデータは、前述したコンテンツ実行情報、コンテンツ関連情報、及びコンテンツのうち少なくとも一つを含むが、これらに制限されるものではない。
【００７１】
第１〜第ｎ機器３０＿１〜３０＿ｎは、第１通信機器１０によって制御され、ネットワーク５０を介してサーバ６０に接続され、図１に示していない放送局から放送コンテンツを受信する。第ｎ＋１〜第ｎ＋ｍ機器４０＿１〜４０＿ｍは、第２通信機器２０によって制御され、ネットワーク５０を介してサーバ６０に接続され、図１に示していない放送局から放送コンテンツを受信する。
【００７２】
前述したサーバ６０との接続は、コンテンツをダウンロードするために行われる。しかし、第１〜第ｎ機器３０＿１〜３０＿ｎ及び第ｎ＋１〜第ｎ＋ｍ機器４０＿１〜４０＿ｍは、それぞれ第１通信機器１０及び第２通信機器２０の制御に関係なくネットワーク５０を介してサーバ６０に接続する。すなわち、第１〜第ｎ機器３０＿１〜３０＿ｎ及び第ｎ＋１〜第ｎ＋ｍ機器４０＿１〜４０＿ｍは、遠隔制御器（図示せず）を用いた制御または直接的な制御によって、ネットワーク５０を介してサーバ６０に接続され、サーバ６０とデータを送受信する。
【００７３】
また第１〜第ｎ機器３０＿１〜３０＿ｍは、第１通信機器１０の制御対象機器であり、ホーム機器または第１通信機器１０と近距離通信の可能な機器と呼ばれる。第ｎ＋１〜第ｎ＋ｍ機器４０＿１〜４０＿ｍも、第２通信機器２０の制御対象機器であり、ホーム機器または第２通信機器２０と近距離通信の可能な機器と呼ばれる。近距離通信は、ブルートゥース、ワイファイ（ＷｉＦｉ）、ジグビー（ＺｉｇＢｅｅ（登録商標））、ＮＦＣ（Ｎｅａｒ Ｆｉｅｌｄ Ｃｏｍｍｕｎｉｃａｔｉｏｎ）及びＲＦＩＤ（Ｒａｄｉｏ−Ｆｒｅｑｕｅｎｃｙ Ｉｄｅｎｔｉｆｉｃａｔｉｏｎ）などの無線通信を含むが、これらに制限されるものではない。第１〜第ｎ機器３０＿１〜３０＿ｎ及び第ｎ＋１〜第ｎ＋ｍ機器４０＿１〜４０＿ｍは、第１通信機器１０及び第２通信機器２０とそれぞれ有線ホームネットワークまたはＵＳＢ（Ｕｎｉｖｅｒｓａｌ Ｓｅｒｉａｌ Ｂｕｓ）基盤で連結される。
【００７４】
第１通信機器１０及び第２通信機器２０がネットワーク５０を介してインタラクティブサービスを行う間に、第１通信機器１０のユーザ及び第２通信機器２０のユーザは、第１〜第ｎ機器３０＿１〜３０＿ｎのうち少なくとも一つの機器及び第ｎ＋１〜第ｎ＋ｍ機器４０＿１〜４０＿ｍのうち少なくとも一つの機器を用いて、コンテンツをリアルタイムで共有する。すなわち、図２に示したように、第１通信機器１０及び第２通信機器２０がメッセンジャーサービスを行う間に、第１通信機器１０のユーザ及び第２通信機器２０のユーザは、第１機器３０＿１及び第ｎ＋ｍ機器４０＿ｍを用いてコンテンツをリアルタイムで共有する。
【００７５】
図２は、図１に示したコンテンツ共有システムに基づいた具現例である。図２を参照すれば、第１通信機器１０及び第２通信機器２０が、図２に示したようにチャットオンメッセンジャーサービスを行う間に、第１通信機器１０のユーザが、第１機器３０＿１で再生中のコンテンツを第２通信機器２０のユーザとリアルタイムで共有することを所望する場合がある。
【００７６】
このような場合に、第１通信機器１０は、第１機器３０＿１から現在再生中のコンテンツまたはコンテンツ関連情報を受信する。第１通信機器１０は、受信されたコンテンツまたはコンテンツ関連情報を、現在実行中のチャットオンメッセンジャーサービスを用いて表示しつつ第２通信機器２０に伝送する。図２の場合に、コンテンツ関連情報を吹き出し２０１に含ませて表示することで、第１通信機器１０のユーザは、第１機器３０＿１から受信されたコンテンツ関連情報を確認する。第２通信機器２０は、吹き出し２０２に示したように、受信されたコンテンツ関連情報（ＤＴＶ Ｌｉｎｋ ＣＨ１１）及びこれについての受諾如何を定めた情報（Ｃｌｉｃｋ ｈｅｒｅ）に基づいて、第１通信機器１０にコンテンツ共有受諾を示す情報を伝送しつつ第ｎ＋ｍ機器４０＿ｍの動作を制御し、第１機器３０＿１と同じコンテンツを再生させる。これによって、第１通信機器１０のユーザは、第２通信機器２０のユーザがコンテンツ共有を受諾したことを確認し、第１通信機器１０のユーザ及び第２通信機器２０のユーザは、各自の周辺機器である第１機器３０＿１及び第ｎ＋ｍ機器４０＿ｍを介して再生されるコンテンツを視聴しつつ、チャットオンメッセンジャーサービスにより視聴経験を共有するメッセージを送受信する。
【００７７】
ネットワーク５０は、有線ネットワーク及び無線ネットワークを含む。ネットワーク５０は、後述する図１６Ａの第１通信機器１０の機能ブロック図に備えられた第１通信部１６０８及び第２通信部１６０９で詳細に説明する。
【００７８】
サーバ６０は、前述した多様なコンテンツを提供できるサーバ、クラウドサーバ、コンテンツ提供サーバ、及びアプリケーション提供サーバを含む。
【００７９】
図３は、本発明の好適な一実施形態によるコンテンツ共有方法であり、図１に示したコンテンツ共有システム基盤のフローチャートである。図３のフローチャートは、第１通信機器１０が第２通信機器２０にコンテンツ共有を要求し、第２通信機器２０がコンテンツ共有を受諾することで第１通信機器１０が周辺機器にコンテンツ共有要求をブロードキャストし、第２通信機器２０が周辺機器にコンテンツ再生または保存要求をブロードキャストする場合である。
【００８０】
図３を参照すれば、第１通信機器１０と第２通信機器２０との間にインタラクティブサービスが実行中であり（Ｓ３０１）、第１機器３０＿１がコンテンツを再生中または保存中である時（Ｓ３０２）、第１通信機器１０のユーザからコンテンツ共有要求信号が受信されれば（Ｓ３０３）、第１通信機器１０は、第２通信機器２０にコンテンツ共有要求信号を伝送する（Ｓ３０４）。
【００８１】
これによって、コンテンツ共有要求受信状態を第２通信機器２０のユーザが認識できるように、第２通信機器２０は、コンテンツ共有要求受信状態を示す情報を出力する（Ｓ３０５）。第２通信機器２０を通じて出力されるコンテンツ共有要求受信状態を示す情報に基づいて、第２通信機器２０のユーザからコンテンツ共有受諾信号が受信されれば（Ｓ３０６）、第２通信機器２０は、コンテンツ共有受諾信号を第１通信機器１０に伝送する（Ｓ３０７）。
【００８２】
コンテンツ共有受諾信号が受信されることで、第１通信機器１０は、周辺の第１〜第ｎ機器３０＿１〜３０＿ｎにコンテンツ共有要求信号をブロードキャストする（Ｓ３０９）。この時、第１通信機器１０と第２通信機器２０とのインタラクティブサービスは維持される（Ｓ３０８）。インタラクティブサービスを維持しつつ上記第１〜第ｎ機器３０＿１〜３０＿ｎへのコンテンツ共有要求信号をブロードキャストするために、第１通信機器１０は、例えば、ワイファイまたは移動通信網に基づいて第２通信機器２０と図２に示したようなチャットオンメッセンジャーサービスを行いつつ、ブルートゥースまたはワイファイに基づいて周辺機器である第１〜第ｎ機器３０＿１〜３０＿ｎにコンテンツ共有要求信号をブロードキャストする。しかし、第１及び第２通信機器１０、２０間のインタラクティブサービスを維持しつつ、前述した第１〜第ｎ機器３０＿１〜３０＿ｎへのコンテンツ共有要求信号をブロードキャストするために用いられる通信網は、前述した通りに制限されるものではない。
【００８３】
これによって第１通信機器１０は、コンテンツを再生中または保存中の第１機器３０＿１からコンテンツ及びコンテンツ関連情報のうち少なくとも一つを受信する（Ｓ３１０）。受信される情報がコンテンツである場合は、共有しようとするコンテンツが第１機器３０＿１のみに保存されているコンテンツである場合であるが、これに制限されるものではない。受信された情報がコンテンツ関連情報である場合は、共有しようとするコンテンツが第１機器３０＿１の外部から受信されたか、または第１機器３０＿１に保存されているが、外部でも探し出せる場合であるが、これに制限されるものではない。ここで外部とは、サーバ６０を初めとする外部機器を意味する。
【００８４】
コンテンツ関連情報は、前述したコンテンツ関連情報以外にコンテンツリストを含む。コンテンツ関連情報がコンテンツリストを含む場合に、コンテンツはサーバ６０のような外部機器に保存され、前述したコンテンツの位置情報は、サーバ６０のような外部機器の位置情報及び外部機器でコンテンツが保存された位置情報を含む。
【００８５】
第１機器３０＿１は、共有しようとするコンテンツが第１機器３０＿１のみに保存されているコンテンツであるかによって、コンテンツを伝送するか、またはコンテンツ関連情報を伝送するか、またはコンテンツ及びコンテンツ関連情報を伝送するかを判断する。第１通信機器１０は、受信された情報を表示しつつ第２通信機器２０に伝送する（Ｓ３１１〜Ｓ３１２）、段階Ｓ３１１で、第１通信機器１０から第２通信機器２０に伝送される情報がコンテンツである場合に、第１通信機器１０は、第２通信機器２０にＲＴＰ（Ｒｅａｌ−ｔｉｍｅ Ｔｒａｎｓｐｏｒｔ Ｐｒｏｔｏｃｏｌ）基盤でコンテンツ伝送セッション要求を行い、これを第２通信機器２０が受諾すれば、第１通信機器１０は第２通信機器２０にコンテンツを伝送する。
【００８６】
第２通信機器２０は、第１通信機器１０から受信された情報を表示し（Ｓ３１３）、第２通信機器２０は、第１通信機器１０とインタラクティブサービスを維持しつつ（Ｓ３１４）、第ｎ＋１〜第ｎ＋ｍ機器４０＿１〜４０＿ｍにコンテンツ再生または保存要求信号をブロードキャストする（Ｓ３１５）。このために、第２通信機器２０は、前述した第１通信機器１０と同様に、例えば、移動通信網またはワイファイに基づいて第１通信機器１０と、図２に示したようなチャットオンメッセンジャーサービスを行いつつ、ブルートゥースまたはワイファイに基づいて第ｎ＋１〜第ｎ＋ｍ機器４０＿１〜４０＿ｍにコンテンツ再生または保存要求信号をブロードキャストする。しかし、第１通信機器１０と第２通信機器２０との間にインタラクティブサービスを維持しつつ、前述したコンテンツ再生または保存要求信号をブロードキャストするために用いられる通信網は、前述したところに制限されるものではない。
【００８７】
また、図３に図示していないが、段階Ｓ３１２で表示される情報が図２の２０２に示した通りである時、第２通信機器２０は、第１通信機器１０に受信されたコンテンツ関連情報についての共有受諾を示す情報を伝送しつつ、コンテンツ共有制ｎ＋１〜ｎ＋ｍ機器４０＿１〜４０＿ｍにコンテンツ再生または保存要求信号をブロードキャストする。
【００８８】
段階Ｓ３１５で、第ｎ＋１〜第ｎ＋ｍ機器４０＿１〜４０＿ｍにコンテンツ再生または保存要求信号をブロードキャストする時、段階Ｓ３１２で、第１通信機器１０から受信された情報がコンテンツであれば、第２通信機器２０は、受信されたコンテンツとコンテンツ再生または保存要求信号とを共に第ｎ＋１〜第ｎ＋ｍ機器４０＿１〜４０＿ｍにブロードキャストする。段階Ｓ３１２で、第１通信機器１０から受信された情報がコンテンツ関連情報であれば、第２通信機器２０は、受信されたコンテンツ関連情報とコンテンツ再生または保存要求信号とを共に第ｎ＋１〜第ｎ＋ｍ機器４０＿１〜４０＿ｍにブロードキャストする。段階Ｓ３１２で、第１通信機器１０から受信された情報がコンテンツ及びコンテンツ関連情報であれば、第２通信機器２０は、受信されたコンテンツとコンテンツ関連情報及びコンテンツ再生または保存要求信号を共に第ｎ＋１〜第ｎ＋ｍ機器４０＿１〜４０＿ｍにブロードキャストする。
【００８９】
第ｎ＋１〜第ｎ＋ｍ機器４０＿１〜４０＿ｍのうち第ｎ＋ｍ機器４０＿ｍが、前述したブロードキャストされたコンテンツ再生または保存要求信号に反応してコンテンツを再生または保存する（Ｓ３１６〜Ｓ３１８）。図３は、第ｎ＋ｍ機器４０＿ｍがコンテンツ再生または保存要求信号を受信すれば（Ｓ３１５）、サーバ６０にコンテンツを要求し（Ｓ３１６）。サーバ６０からコンテンツが受信されれば（Ｓ３１７）、コンテンツを再生する（Ｓ３１８）。これは、段階Ｓ３１５で、第ｎ＋１〜第ｎ＋ｍ機器４０＿１〜４０＿ｍにコンテンツ再生または保存要求信号がブロードキャストされる時、第２通信機器２０からコンテンツが伝送されないと解釈される。
【００９０】
したがって、段階Ｓ３１５で、第２通信機器２０が第ｎ＋１〜第ｎ＋ｍ機器４０＿１〜４０＿ｍにコンテンツまたはコンテンツとコンテンツ関連情報をブロードキャストした場合に、図３のフローチャートは、段階Ｓ３１６及び段階Ｓ３１７を行わず、段階Ｓ３１８で、第ｎ＋ｍ機器４０＿ｍが第２通信機器２０から伝送されたコンテンツを直ぐ再生することに変形される。
【００９１】
第ｎ＋１〜第ｎ＋ｍ機器４０＿１〜４０＿ｍのうち、第ｎ＋ｍ機器４０＿ｍが前述したブロードキャストされたコンテンツ再生または保存要求信号に反応するのは、第ｎ＋ｍ機器４０＿ｍが第１機器３０＿１と同タイプの機器であるか、または前述したコンテンツを再生または保存できる機器であるか、または上記コンテンツまたはコンテンツ関連情報と前述したコンテンツ再生または保存要求信号とを認識できる機器であるからである。しかし、第ｎ＋ｍ機器４０＿ｍが前述したコンテンツ再生または保存要求に反応する理由は、前述したところに制限されるものではない。
【００９２】
第ｎ＋ｍ機器４０＿ｍは、例えば、コンテンツ再生または保存要求信号と共に受信されるコンテンツ関連情報に含まれた機器の識別情報に基づいて、第１機器３０＿１と同タイプの機器であるか、または前述したコンテンツを再生または保存できる機器であるか、または、上記コンテンツまたはコンテンツ関連情報と前述したコンテンツ再生または保存要求信号を認識できる機器であるかを判断できる。
【００９３】
図３のフローチャートによって、第１通信機器１０のユーザ及び第２通信機器２０のユーザはインタラクティブサービスを維持しつつ、各自の周辺機器である第１機器３０＿１及び第ｎ＋ｍ機器４０＿ｍを介して、図２に示したようにコンテンツを共有でき、共有するコンテンツについての経験を、インタラクティブサービスを用いてリアルタイムで共有する。
【００９４】
図４Ａないし図４Ｄは、第１通信機器１０と第２通信機器２０との間のチャットオンメッセンジャーサービスを行いつつ、コンテンツ共有要求、コンテンツ共有要求受諾、及びコンテンツ関連情報伝送による画面の例である。
【００９５】
図４Ａは、第１通信機器１０及び第２通信機器２０がチャットオンメッセンジャーサービスに基づいたインタラクティブサービスを行っている画面の例である。画面４１０は、チャットオンメッセンジャーサービスが行われている第１通信機器１０の画面の例であり、画面４２０は、チャットオンメッセンジャーサービスが行われている第２通信機器２０の画面の例である。しかし、本発明で言及されるメッセンジャーサービスは、チャットオンメッセンジャーサービスに制限されるものではない。
【００９６】
図４Ｂは、図４Ａに示したように、第１通信機器１０及び第２通信機器２０がチャットオンメッセンジャーサービスを行っている時、第１通信機器１０が第２通信機器２０にコンテンツ共有を要求する画面の例である。
【００９７】
すなわち、図４Ｂの画面４１１に示したように第１通信機器１０のコンテンツ共有アイコン４０１がユーザによってタッチされれば、第１通信機器１０は、画面４１１に示したように、第１通信機器１０に表示されているコンテンツ共有アイコン４０１の状態を変更しつつ、第２通信機器２０にコンテンツ共有要求信号を伝送する。これによって、画面４２１に示したように第２通信機器２０のコンテンツ共有アイコン４０１の状態が変更される。コンテンツ共有アイコン４０１の状態が変更されることで、第２通信機器２０のユーザは、第１通信機器１０からコンテンツ共有が要求されたことを認識する。図４Ｂ及び図４Ｃは、コンテンツ共有アイコン４０１の状態変更を色変更に設定した場合である。しかし、コンテンツ共有アイコン４０１の模様が変更されるように設定できるなど、コンテンツ共有アイコン４０１の状態変更は前述したところに制限されるものではない。
【００９８】
図４Ｃは、図４Ｂに示したように、第１通信機器１０が第２通信機器２０にコンテンツ共有要求信号を伝送することで、第２通信機器２０が第１通信機器１０にコンテンツ共有要求を受諾する画面の例である。
【００９９】
すなわち、図４Ｃの画面４２２に示したように、コンテンツ共有アイコン４０１を第２通信機器２０のユーザがタッチすれば、第２通信機器２０は、コンテンツ共有アイコン４０１の状態を変更しつつ第１通信機器１０にコンテンツ共有要求を受諾する信号を伝送する。これによって、画面４１２に示したように、第１通信機器１０に表示されるコンテンツ共有アイコン４０１の色が変更され、第１通信機器１０のユーザは、コンテンツ共有要求を第２通信機器２０が受諾したことが分かる。
【０１００】
図４Ｄは、図４Ｃに示したように、第１通信機器１０が第２通信機器２０からコンテンツ共有要求受諾信号を受信することで周辺機器３０＿１〜３０＿ｎにコンテンツ共有要求信号をブロードキャストし、周辺機器３０＿１〜３０＿ｎから受信されたコンテンツ関連情報を第１通信機器１０に表示しつつ第２通信機器２０に伝送して表示する画面の例である。
【０１０１】
すなわち、図４Ｄの画面４１３に示したように、第１通信機器１０が前述した過程を通じて周辺機器３０＿１〜３０＿ｎから、コンテンツ関連情報である「ＤＴＶ Ｌｉｎｋ ＣＨ １１」を受信して表示しつつ第２通信機器２０に伝送する。図４Ｄの画面４１３でコンテンツ関連情報が表示される領域４０２は、チャットオンメッセンジャーサービスと独立したポップアップ窓またはお知らせ窓の形態で表示されるが、チャットオンメッセンジャーサービスに基づいた吹き出し形態で表示される。
【０１０２】
第２通信機器２０は、画面４２３に示したように、受信されたコンテンツ関連情報を領域４０３に表示する。表示されるコンテンツ関連情報と共に表示される「Ｃｌｉｃｋ ｈｅｒｅ」は、図２で説明した通りの用途で使われる情報であり、コンテンツ関連情報が受信されることで第２通信機器２０で運用されるプログラムに設定された条件によって生成され、表示される。「Ｃｌｉｃｋ ｈｅｒｅ」は、「受諾（Ａｃｃｅｐｔ）、拒絶（Ｄｅｎｙ）」に生成されて表示される。領域４０３も領域４０２のように、チャットオンメッセンジャーサービスと独立したポップアップ窓またはお知らせ窓の形態で表示されるが、チャットオンメッセンジャーサービスに基づいた吹き出し形態で表示される。
【０１０３】
第２通信機器２０のユーザが領域４０３の「Ｃｌｉｃｋ ｈｅｒｅ」をタッチすれば、第２通信機器２０は、第１通信機器１０から受信されたコンテンツ関連情報に基づいたコンテンツ共有受諾を示す情報を第１通信機器１０に伝送しつつ、図３の段階Ｓ３１５のように、周辺機器４０＿１〜４０＿ｍにコンテンツ再生または保存要求信号をブロードキャストする。
【０１０４】
領域４０３に表示される「Ｃｌｉｃｋ ｈｅｒｅ」は、コンテンツ関連情報と独立した機能メニュー項目として提供される。また、前述した実施形態は、「Ｃｌｉｃｋ ｈｅｒｅ」に基づいた動作制御をタッチ基盤で説明したが、ユーザの入力情報で言及したユーザの音声認識や空間ジェスチャーによって、「Ｃｌｉｃｋ ｈｅｒｅ」に基づいた動作は制御できる。
【０１０５】
また、図４Ａないし図４Ｄに示したコンテンツ共有アイコン４０１に基づいた動作は、第１通信機器１０と第２通信機器２０との間の現在の動作状態を示すメッセージ形態で提供される。すなわち、コンテンツ共有アイコン４０１に対応する位置または任意の位置に表示されるコンテンツ共有を制御するためのメニュー項目（図示せず）がユーザによって制御されることで、「コンテンツ共有要求、コンテンツ共有要求受諾、周辺機器にコンテンツ共有要求、コンテンツ関連情報を相手の機器に伝送」などのメッセージが第１通信機器１０上に表示される。第１通信機器１０上に表示されるメッセージは、お知らせ窓を通じて表示されるが、これに制限されるものではない。または前述したコンテンツ共有を制御するためのメニュー項目またはコンテンツ共有アイコン４０１は、前述したメッセージ情報を含むボタン形態で提供される。コンテンツ共有アイコン４０１の制御は、前述したようにタッチ基盤で行われるが、ユーザの音声認識に基づいて行われてもよい。
【０１０６】
また、図４Ｄの画面４１３の窓４０２に表示されるコンテンツ関連情報は、チャットオンメッセンジャーサービスに基づいて第１通信機器１０から第２通信機器２０に伝送される。すなわち、第２通信機器２０によって行われているチャットオンメッセンジャーサービスでパーシングして、画面４２３に示したように、独立した窓４０３にコンテンツ関連情報及びこれについての受諾如何を定める情報を表示するか、または他の送受信されるメッセージのように、吹き出し内にコンテンツ関連情報及びこれについての受諾如何を定める情報を表示する。このために、第１通信機器１０は、チャットオンメッセンジャーサービス基盤のデータ伝送フォーマットによって、コンテンツ関連情報を第２通信機器２０に伝送する。コンテンツ関連情報は、上記データ伝送フォーマットに含まれた付加情報フィールドに含まれて伝送される。
【０１０７】
また、図４Ｄの画面４１３の窓４０２に表示されるコンテンツ関連情報は、チャットオンメッセンジャー実行状態で周辺機器３０＿１から受信された情報であるので、第１通信機器１０によって行われているチャットオンメッセンジャーサービスによってパーシングされて、お知らせメッセージ形態で表示される。しかし、周辺機器３０＿１から受信されるコンテンツ関連情報を第１通信機器１０に表示する方式は、前述したところに制限されるものではない。
【０１０８】
すなわち、第１通信機器１０は、チャットオンメッセンジャーサービスと異なる通信サービスで受信されるコンテンツ関連情報をパーシングして表示する。このようにチャットオンメッセンジャーサービスと異なる通信サービスで受信されたコンテンツ関連情報をパーシングする場合に、第１通信機器１０から第２通信機器２０に伝送されるコンテンツ関連情報は、チャットオンメッセンジャーサービスと異なる通信サービスに伝送される。第１通信機器１０と第２通信機器２０との間に行われているチャットオンメッセンジャーサービスと異なる通信サービスでコンテンツ関連情報が伝送される時、コンテンツ関連情報は、インタラクティブサービス基盤ではないことがある。例えば、片方向通信基盤で第１通信機器１０から第２通信機器２０にコンテンツ関連情報は伝送される。チャットオンメッセンジャーサービスと異なる通信サービスでコンテンツ関連情報を伝送するのは、後述する図６でさらに詳細に説明する。
【０１０９】
図５Ａないし図５Ｄは、第１通信機器１０及び第２通信機器２０が映像通話基盤のインタラクティブサービスを行う時の、図４Ａないし図４Ｄに対応する例である。
【０１１０】
すなわち、図５Ａは、第１通信機器１０及び第２通信機器２０が映像通話サービスに基づいたインタラクティブサービスを実行中の画面の例である。画面５１０は、映像通話サービスが行われている第１通信機器１０の画面の例であり、画面５２０は、映像通話サービスが行われている第２通信機器２０の画面の例である。
【０１１１】
図５Ｂは、図５Ａに示したように、第１通信機器１０及び第２通信機器２０が映像通話サービスを行っている時、第１通信機器１０が第２通信機器２０にコンテンツ共有を要求する画面の例である。
【０１１２】
すなわち、図５Ｂの画面５１１に示したように、第１通信機器１０のコンテンツ共有アイコン５０１がユーザによってタッチされれば、第１通信機器１０は、画面５１１に示したように、第１通信機器１０に表示されているコンテンツ共有アイコン５０１の状態を変更しつつ、第２通信機器２０にコンテンツ共有要求信号を伝送する。これによって、画面５２１に示したように、第２通信機器２０のコンテンツ共有アイコン５０１の状態が変更される。コンテンツ共有アイコン５０１の状態が変更されることで、第２通信機器２０のユーザは、第１通信機器１０からコンテンツ共有が要求されたことを認識する。図５Ｂ及び図５Ｃで、コンテンツ共有アイコン５０１の状態変更は色が変更されるように設定された場合である。しかし、コンテンツ共有アイコン５０１の形態が変更されるように設定できるなど、コンテンツ共有アイコン５０１の状態変更は前述したところに制限されるものではない。
【０１１３】
図５Ｃは、図５Ｂに示したように、第１通信機器１０が第２通信機器２０にコンテンツ共有要求信号を伝送することで、第２通信機器２０が第１通信機器１０にコンテンツ共有要求を受諾する画面の例である。
【０１１４】
すなわち、図５Ｃの画面５２２に示したように、コンテンツ共有アイコン５０１を第２通信機器２０のユーザがタッチすれば、第２通信機器２０は、コンテンツ共有アイコン５０１の状態を変更しつつ、第１通信機器１０にコンテンツ共有要求を受諾する信号を伝送する。これによって、画面５１２に示したように、第１通信機器１０に表示されるコンテンツ共有アイコン５０１の色が変更され、第１通信機器１０のユーザは、コンテンツ共有要求を第２通信機器２０が受諾したことが分かる。
【０１１５】
図５Ｄは、図５Ｃに示したように、第１通信機器１０が第２通信機器２０からコンテンツ共有要求受諾信号を受信することで、第１ないし第ｎ周辺機器３０＿１〜３０＿ｎにコンテンツ共有要求信号をブロードキャストし、これによって、第１通信機器１０は、第１ないし第ｎ周辺機器３０＿１〜３０＿ｎからコンテンツ関連情報を受信して表示しつつ第２通信機器２０にコンテンツ関連情報を伝送し、第２通信機器２０にコンテンツ関連情報が表示される画面の例である。
【０１１６】
すなわち、図５Ｄの画面５１３に示したように、第１通信機器１０が前述した過程を通じて、第１ないし第ｎ周辺機器３０＿１〜３０＿ｎからコンテンツ関連情報である「ＤＴＶ Ｌｉｎｋ ＣＨ １１」を受信して表示しつつ第２通信機器２０に伝送する。これによって、第２通信機器２０は、画面５２３に示したように、領域５０３に受信されたコンテンツ関連情報と、前述した「Ｃｌｉｃｋ ｈｅｒｅ」と類似した方法で使われる「受諾（Ａｃｃｅｐｔ）及び拒絶（Ｄｅｎｙ）」を選択できる情報とを表示する。「受諾及び拒絶」を選択できる情報は、第１通信機器１０からコンテンツ関連情報が受信されることで第２通信機器２０で生成された情報である。図５Ｄの場合に、第２通信機器２０で運用されるプログラムが「Ｃｌｉｃｋ ｈｅｒｅ」情報の代わりに「受諾及び拒絶」情報を生成するように構成された場合である。
【０１１７】
第２通信機器２０は、画面５２３に含まれた窓５０３に示した受理（Ａｃｃｅｐｔ）及び拒絶（Ｄｅｎｙ）情報についてのユーザの選択によって、受信されたコンテンツ関連情報について受理如何を定めて動作する。すなわち、窓５０３に表示される受理（Ａｃｃｅｐｔ）を示す情報をユーザが選択すれば、第２通信機器２０は、第１通信機器１０に受信されたコンテンツ関連情報についての受理状態を示す情報を伝送しつつ、周辺機器４０＿１〜４０＿ｍにコンテンツ再生または保存要求信号をブロードキャストする。しかし、窓５０３に表示される拒絶（Ｄｅｎｙ）を示す情報をユーザが選択すれば、第２通信機器２０は、図３の段階Ｓ３０５でコンテンツ共有を受諾したとしても、受信されたコンテンツ関連情報に基づいたコンテンツ共有を拒絶する信号を第１通信機器１０に伝送しつつ、周辺機器４０＿１〜４０＿ｍにコンテンツ再生または保存要求信号をブロードキャストしない。
【０１１８】
第１通信機器１０は、第２通信機器２０から受理を示す情報が受信されれば、第２通信機器２０に伝送したコンテンツ関連情報について第２通信機器２０が受理したことを示すお知らせメッセージを表示し、第２通信機器２０から拒絶を示す情報が受信されれば、第２通信機器２０に伝送したコンテンツ関連情報について第２通信機器２０が拒絶したことを示すお知らせメッセージを表示する。これにより、第１通信機器１０のユーザは、第２通信機器２０に伝送したコンテンツ関連情報が拒絶されたことを示すお知らせメッセージを受信する場合に、コンテンツ共有に基づいた経験共有試みが失敗したことを認識する。
【０１１９】
図５Ｄの第１通信機器１０の画面５１３で、コンテンツ関連情報が表示される領域５０２及び第２通信機器２０の画面５２３でコンテンツ関連情報が表示される領域５０３は、図５Ｄに示したように、映像通話サービスに基づいて表示される映像画面上にオーバーラップされたポップアップ窓またはお知らせ窓の形態で表示されるが、表示される映像画面にオーバーラップされていない独立した領域に表示される。
【０１２０】
図５Ａないし図５Ｄに示したコンテンツ共有アイコン５０１に基づいた動作は、図４Ａないし図４Ｄに示したコンテンツ共有アイコン４０１に基づいた動作と同一であるので、以下では説明を略する。
【０１２１】
図５Ｄの第１通信機器１０の画面５１３の窓５０２に表示されるコンテンツ関連情報は、映像通話サービスに基づいて第１通信機器１０から第２通信機器２０に伝送される。すなわち、第１通信機器１０と第２通信機器２０との間の映像通話サービスがＶｏＩＰ（Ｖｏｉｃｅ ｏｖｅｒ Ｉｎｔｅｒｎｅｔ Ｐｒｏｔｏｃｏｌ）基盤である場合に、ＶｏＩＰプロトコルのパケットに前述したコンテンツ関連情報を付加して伝送する。
【０１２２】
すなわち、コンテンツ関連情報は、ＶｏＩＰプロトコルであるＳＩＰ（Ｓｅｓｓｉｏｎ Ｉｎｉｔｉａｔｉｏｎ Ｐｒｏｔｏｃｏｌ）パケットを用いて、第１通信機器１０から第２通信機器２０に伝送される。図５Ｅは、コンテンツ関連情報を伝送するためのＳＩＰパケットの概略的な構造図である。図５Ｅを参照すれば、ＳＩＰメッセージ本文（ｍｅｓｓａｇｅ ｂｏｄｙ）にコンテンツ関連情報（例えば、ＶＯＤ（Ｖｉｄｅｏ Ｏｎ Ｄｅｍａｎｄ）のＵＲＬ）を含む付加情報が含まれる。ＳＩＰヘッダのＣｓｅｑフィールドに「ＩＮＦＯ」を定義し、ＳＩＰメッセージ本文に含まれている情報が第２通信機器２０に伝送しようとするコンテンツ関連情報であることを示す。ＳＩＰヘッダに含まれるコンテンツ長フィールド（Ｃｏｎｔｅｎｔ Ｌｅｎｇｔｈ ｆｉｅｌｄ）は、伝送しようとするコンテンツ関連情報の長さに合わせて設定する。「ＩＮＦＯ」は、ＳＩＰで提供しているメソッド（ｍｅｔｈｏｄ）のうち一つであり、セッションが設定された後、既存のセッションを維持しつつ必要な情報を交換しようとする時に使われるメソッドである。図５Ｅは、ＳＩＰヘッダ及びＳＩＰメッセージ本文で構成されたＳＩＰパケットを、ネットワーク伝送プロトコルであるＵＤＰ（Ｕｓｅｒ Ｄａｔａｇｒａｍ Ｐｒｏｔｏｃｏｌ）にカプセル化（ｅｎｃａｐｓｕｌａｔｉｏｎ）し、ＩＰ（Ｉｎｔｅｒｎｅｔ Ｐｒｏｔｏｃｏｌ）パケットにカプセル化した例である。
【０１２３】
第１通信機器１０から、図５Ｅに示したようにカプセル化されたＳＩＰパケットが受信されれば、第２通信機器２０は、ＳＩＰパケットに付加して伝送されるコンテンツ関連情報をパーシングして、コンテンツ関連情報を含む窓５０３を生成し、表示する。すなわち、図５Ｅに示したように、カプセル化して伝送されるパケットが受信されれば、第２通信機器２０は、カプセルを除去（ｄｅｃａｐｓｕｌａｔｉｏｎ）してＳＩＰメッセージ本文に含まれているコンテンツ関連情報を検出し、上記窓５０３を生成してコンテンツ関連情報を表示する。しかし、コンテンツ関連情報を伝送するためのＶｏＩＰプロトコル基盤パケットは、前述したＳＩＰパケットに限定されるものではない。
【０１２４】
図５Ｄのコンテンツ関連情報は、図４Ｄに示したように、映像通話サービスと異なる通信サービスに伝送され、他の通信サービスに伝送される場合に、コンテンツ関連情報は、インタラクティブサービス基盤ではない片方向通信基盤に伝送される。
【０１２５】
また、第１通信機器１０と第２通信機器２０とのインタラクティブサービスがＶｏＩＰプロトコル基盤の音声通話サービスである場合に、コンテンツ関連情報は、ＶｏＩＰプロトコルのパケットに付加されて第１通信機器１０から第２通信機器２０に伝送され、前述した図５Ｄに示したように、画面上に表示されるか、または表示されつつ音声信号に出力されてユーザが認識可能にする。図６は、本発明の好適な他の実施形態によるコンテンツ共有方法であり、図１に示したコンテンツ共有システム基盤のフローチャートである。図６は、図３のフローチャートに、第１通信機器１０と第２通信機器２０とのインタラクティブサービスと異なる通信サービスを用いてコンテンツ関連情報を伝送する機能を加えた場合である。他の通信サービスは、インタラクティブサービスであるが、図４Ｄ及び図５Ｄで説明したように片方向通信サービスであってもよい。
【０１２６】
したがって、図６の段階Ｓ６０１〜Ｓ６１１は図３の段階Ｓ３０１〜３１１と同一であり、段階Ｓ６１５〜Ｓ６２１は、図３の段階Ｓ３１２〜Ｓ３１８と同一であるので、重なる説明を回避するために下記では説明を略する。
【０１２７】
図６の段階Ｓ６１０で、周辺機器である第１機器３０＿１からコンテンツ及びコンテンツ関連情報のうち少なくとも一つの情報が受信されれば、第１通信機器１０は、受信された情報を表示し（Ｓ６１１）、ユーザの入力情報によって表示される情報についての第２通信機器２０への伝送が要求されれば（Ｓ６１２）、第１通信機器１０は、選択可能な通信サービスリストを表示する（Ｓ６１３）。
【０１２８】
図７Ａないし図７Ｃは、選択可能な通信サービスリストについての第１通信機器１０の画面例示図である。第１通信機器１０と第２通信機器２０との映像通話サービスが行われ、図７Ａ及び図７Ｂに示したように、図６の段階Ｓ６１１で、第１機器３０＿１から受信された情報が表示される時、段階Ｓ６１２で、第１通信機器１０のユーザが、領域５０２に表示されている情報についての第２通信機器２０への伝送を要求すれば、第１通信機器１０は、図７Ａに示したように、ディスプレイ領域７１１に、７１２に示したように選択可能な通信サービスリストを表示するか、または図７Ｂに示したように、ディスプレイ領域７２１に、７２２に示したように選択可能な通信サービスリストを表示する。ディスプレイ領域７１１、７２１に表示される選択可能な通信サービスの情報は、通信サービスの特徴を示すアイコンなどのイメージまたはテキストまたは識別情報で表現されるが、これらに制限されるものではない。
【０１２９】
表示される選択可能な通信サービスリストで所望の通信サービスが選択されれば（Ｓ６１４）、第１通信機器１０は、選択された通信サービスによって表示されるコンテンツまたは／及びコンテンツ関連情報を第２通信機器２０に伝送する（Ｓ６１５）。これによって、図７Ｃに示したように、第１通信機器１０は、コンテンツまたは／及びコンテンツ関連情報を伝送するために選択された通信サービスに関する情報７３１を表示し、受信されたコンテンツ関連情報を表示する領域５０２を消えさせる。これによって、第１通信機器１０のユーザは、領域５０２に表示された情報を伝送するために用いられた通信サービスが分かる。図７Ｃで領域５０２を消えさせたのは、第１通信機器１０から第２通信機器２０へ領域５０２に表示された情報が伝送されたことを意味する。しかし、図７Ｃに示した画面は、領域５０２を消えさせずに表示状態を維持するように変形される。通信サービスに関する情報は、アイコンまたは通信サービスを示す情報で表現される。
【０１３０】
図８は、選択可能な通信サービスリストについての第１通信機器１０の画面の他の例示図である。すなわち、第１通信機器１０の画面８１０に含まれたスライドバー８０１をタッチし、上位方向にドラッグすることで、画面８２０に示したように、通信サービスを選択できる画面８２１が第１通信機器１０に表示される。画面８２１に基づいて所望の通信サービスが選択され、完了ボタンが制御されれば、第１通信機器１０は、選択された通信サービスに基づいて領域５０２に表示されている情報を第２通信機器２０に伝送しつつ、画面８３０に示したように領域５０２に表示されている情報を伝送するために用いられた通信サービス情報８３１を表示しつつ領域５０２の表示を中断する。しかし、画面８３０は、領域５０２の表示状態が維持されるように変形される。また、通信サービス情報８３１は、図７Ｃに示した通信サービス情報７３１と同じく表現される。
【０１３１】
図９は、選択可能な通信サービスリストについての第１通信機器１０のさらに他の画面例示図である。図９は、第１通信機器１０と第２通信機器２０との間にチャットオンメッセンジャーサービスを行っている時、ＳＭＳ（Ｓｈｏｒｔ Ｍｅｓｓａｇｅ Ｓｅｒｖｉｃｅ）でコンテンツ関連情報を伝送する画面の例である。
【０１３２】
図９の画面９１０〜９３０は、第１通信機器１０の画面の例であり、画面９４０〜９６０は、第２通信機器２０の画面の例である。
【０１３３】
図９の画面９１０は、第１通信機器１０の周辺機器（３０＿１〜３０＿ｎのうち一つ）から受信されたコンテンツ関連情報が「グーグル自然ドキュメンタリー」である時、第１通信機器１０のユーザによって選択可能な他の通信サービス情報が要求されれば、第１通信機器１０は、画面９２０に示したように選択可能な通信サービスリスト９２１を表示する。表示される選択可能な通信サービスリストでＳＭＳ ９２２項目が選択されれば、第１通信機器１０は、ＳＭＳに基づいて「グーグル自然ドキュメンタリー」情報を第２通信機器２０に伝送し、伝送されたメッセージを、画面９３０に示したように、チャットオンメッセンジャーサービスによって提供されるディスプレイ領域と分離された領域９３２に、コンテンツ関連情報が伝送されたことを示す吹き出し９３１を表示する。吹き出し９３１は、“グーグル自然ドキュメンタリー”についての伝送された情報を含む。画面９３０に表示される吹き出し９３１は他の形態で表現される。また、ＳＭＳに基づいて伝送された情報を表示することは、チャットオンメッセンジャーサービスによって提供されるディスプレイ領域と分離された領域に表示されるのに制限されるものではない。
【０１３４】
第２通信機器２０は、画面９４０に示したように、チャットオンメッセンジャーサービスに基づいた情報が表示される時、第１通信機器１０でＳＭＳ項目９２２が選択されてコンテンツ関連情報が伝送されれば、画面９５０に示したように、ＳＭＳ受信を知らせる情報９５１が表示される。第２通信機器２０のユーザによってＳＭＳ受信を知らせる情報９５１が選択されるか、またはＳＭＳに基づいて受信された情報についてのオープンが要求されれば、第２通信機器２０は、画面９６０に示したように、チャットオンメッセンジャーサービスによって提供されるディスプレイ領域と分離された領域９６２に、受信されたコンテンツ関連情報を含む吹き出し９６１を表示する。第２通信機器２０で受信されたコンテンツ関連情報を表示することは、チャットオンメッセンジャーサービスによって提供されるディスプレイ領域と分離された領域に表示されることに制限されるものではない。
【０１３５】
図１０は、本発明の好適なさらに他の実施形態によるコンテンツ共有方法であり、図１に示したコンテンツ共有システム基盤のフローチャートである。図１０は、第１通信機器１０及び第２通信機器２０がインタラクティブサービスを行っている時、第１通信機器１０が周辺機器３０＿１〜３０＿ｎにコンテンツ共有要求をブロードキャストした後、周辺機器３０＿１〜３０＿ｎからコンテンツ及びコンテンツ関連情報のうち少なくとも一つの情報を受信し、第２通信機器２０は、周辺機器４０＿１〜４０＿ｍのリストに基づいて選択された機器にコンテンツ再生または保存要求を行う場合である。
【０１３６】
図１０の段階Ｓ１００１〜Ｓ１０１０は図３の段階Ｓ３０１〜Ｓ３１０と同一であるので、以下では説明を略する。但し、図１０の段階Ｓ１００２で、第１機器３０＿１及び第ｎ機器３０＿ｎがコンテンツを再生中や保存中であることが、図３の段階Ｓ３０２と異なる。
【０１３７】
第１通信機器１０は、段階Ｓ１００９で周辺の第１ないし第ｎ機器３０＿１〜３０＿ｎにコンテンツ共有要求信号をブロードキャストした後、複数の機器からコンテンツ及びコンテンツ関連情報のうち少なくとも一つの情報が受信されれば（Ｓ１０１０）、コンテンツ及びコンテンツ関連情報のうち少なくとも一つの情報を伝送した複数の機器リストを表示する（Ｓ１０１１）。
【０１３８】
図１１Ａないし図１１Ｃは、第１通信機器１０で表示される機器リストを含む画面の一例である。第１通信機器１０と第２通信機器２０との映像通話サービスが行われ、第１機器３０＿１がデジタルＴＶであり、第ｎ機器３０＿ｎがオーディオ再生機器である時、第１通信機器１０は、図１１Ａに示したように、図１０の段階Ｓ１０１１でディスプレイ領域１１１１に、１１１２に示したように選択可能な機器リストを表示するか、または、図１１Ｂに示したように、ディスプレイ領域１１２１に、１１２２に示したように選択可能な機器リストを表示する。図１１Ａの領域１１１１及び図１１Ｂの領域１１２１に表示される第１ないし第ｎ周辺機器３０＿１〜３０＿ｎの情報は、機器の特徴を示すアイコンのようなイメージまたはテキストまたは識別情報で表現されるが、これらに制限されるものではない。
【０１３９】
表示される機器リストに基づいて所望の機器が選択されれば（Ｓ１０１２）、第１通信機器１０は、選択された機器から受信されたコンテンツ及びコンテンツ関連情報を表示しつつ（Ｓ１０１３）、表示される情報を第２通信機器２０に伝送する（Ｓ１０１４）。図１１Ｃに示した画面は、映像通話サービスを維持しつつ選択された機器に関する情報１１３１と、選択された機器から受信された情報を含む窓５０２とを表示する第１通信機器１０の画面の例である。図１１を参照すれば、選択された機器がデジタルＴＶであり、デジタルＴＶから受信した情報が「ＤＴＶ Ｌｉｎｋ ＣＨ １１」というコンテンツ関連情報であり、このコンテンツ関連情報が第２通信機器２０に伝送されたことが分かる。
【０１４０】
図１２は、第１通信機器１０で表示される第１ないし第ｎ周辺機器３０＿１〜３０＿ｎのリストを含む画面の他の例示図である。すなわち、第１通信機器１０の画面１２１０に含まれたスライドバー１２０１をタッチし、上位方向にドラッグすることで、画面１２２０に示したように、選択可能な機器の情報を含む画面１２２１が第１通信機器１０に表示される。画面１２２１に基づいて所望の機器が選択され、完了ボタンが制御されれば、第１通信機器１０は、画面１２３０に示したように、選択された機器から受信された情報を領域５０２に表示しつつ第２通信機器２０に伝送し、選択された機器の情報１２３１を表示する。これによって、第１通信機器１０のユーザは、選択された機器と、選択された機器から受信された情報及び第２通信機器２０に伝送された情報が確認できる。
【０１４１】
第２通信機器２０は、受信された情報を表示する（Ｓ１０１５）。第２通信機器２０のユーザによって第ｎ＋１ないしｎ＋ｍ機器４０＿１〜４０＿ｍのリストが要求されれば（Ｓ１０１６）、第２通信機器２０は、選択可能な周辺機器である第ｎ＋１〜第ｎ＋ｍ機器４０＿１〜４０＿ｍのリストを表示する（Ｓ１０１７）。第２通信機器２０で選択可能な周辺機器とは、第２通信機器２０に連結可能な機器を意味する。第２通信機器２０は、前述した図１１Ａ及び図１１Ｂと図１２の画面１２１０及び画面１２２０とに示したように、選択可能な周辺機器のリストを表示できる。
【０１４２】
表示される機器リストに基づいたユーザの機器選択信号が受信されれば（Ｓ１０１８）、第２通信機器２０は、第１通信機器１０とインタラクティブサービスを維持しつつ（Ｓ１０１９）、選択された機器に、前述した図３で説明したようにコンテンツ再生または保存要求信号を伝送する（Ｓ１０２０）。図１０は、第ｎ＋１機器４０＿１が選択された例である。したがって、第２通信機器２０は、段階Ｓ１０２０で第ｎ＋１機器４０＿１にコンテンツ再生または保存要求信号を伝送する。図１１及び図１２に示した例によれば、第ｎ＋１機器４０＿１はデジタルＴＶで見られる。これによって、第ｎ＋１機器４０＿１は、受信されたコンテンツ関連情報に基づいてサーバ６０にコンテンツを要求し（Ｓ１０２１）、サーバ６０からコンテンツが受信されれば（Ｓ１０２２）、受信されたコンテンツを再生する（Ｓ１０２３）。
【０１４３】
図１０は、図３で述べたように、第１通信機器１０と第２通信機器２０との間にコンテンツ関連情報を伝送した場合である。しかし、第１通信機器１０と第２通信機器２０との間にコンテンツが伝送された場合に、段階Ｓ１０２１、段階Ｓ１０２２は削除され、第１通信機器１０が第２通信機器２０にコンテンツを伝送する前に、第２通信機器２０にＲＴＰプロトコルに基づいてコンテンツ伝送セッションを要求し、これについて第２通信機器２０が受諾すれば、第１通信機器１０は、第２通信機器２０とのインタラクティブサービスを維持しつつコンテンツを伝送する。
【０１４４】
図１３は、本発明の好適なさらに他の実施形態によるコンテンツ共有方法であり、第１機器３０＿１がコンテンツを再生中であり、第１通信機器１０及び第２通信機器２０がインタラクティブサービスを行っている時、第１機器３０＿１から受信されたコンテンツ関連情報に基づいた前述したコンテンツ実行情報を第２通信機器２０に伝送し、第１通信機器１０と第２通信機器２０とのインタラクティブサービスを、第２通信機器２０によって制御されてコンテンツを再生する機器で続けて行う場合である。
【０１４５】
図１３を参照すれば、第１機器３０＿１がコンテンツを再生している時（Ｓ１３０１）、第１通信機器１０と第２通信機器２０とのインタラクティブサービスが行われ（Ｓ１３０２）、第１通信機器１０のユーザによってコンテンツ共有要求が受信されれば（Ｓ１３０３）、第１通信機器１０は、第１機器３０＿１にコンテンツ共有要求信号を伝送する（Ｓ１３０４）。これによって第１通信機器１０は、第１機器３０＿１から現在再生中のコンテンツ関連情報を受信する（Ｓ１３０５、Ｓ１３０６）。第１機器３０＿１からのコンテンツ関連情報の受信は、第１通信機器１０のユーザのコンテンツ共有要求と関係なく周辺機器のモニタリングによる。
【０１４６】
すなわち、周辺機器３０＿１〜３０＿ｎが第１通信機器１０に連結されていない時、第１通信機器１０は、周辺機器３０＿１〜３０＿ｎに再生状況情報要求信号をブロードキャストし、受信された応答信号からコンテンツ関連情報を抽出してコンテンツ関連情報を受信する。上記再生状況情報要求信号は、第１通信機器１０のユーザのコンテンツ共有要求信号を含む入力情報の受信と関係なく、インタラクティブサービスの実行中に周期的にブロードキャストされる。
【０１４７】
再生状況情報要求信号をブロードキャストする場合に、コンテンツ関連情報は、第１機器３０＿１を含む複数の周辺機器から複数のコンテンツ関連情報が受信される。複数の周辺機器は、コンテンツを再生している機器である。複数のコンテンツ関連情報が受信される場合に、第１通信機器１０は、複数のコンテンツ関連情報をいずれも表示してユーザの所望のコンテンツ関連情報を選択させる。
【０１４８】
第１通信機器１０に第１機器３０＿１が連結されている場合に、第１機器３０＿１に関するモニタリング情報からコンテンツ関連情報を抽出し、コンテンツ関連情報を受信する。第１機器３０＿１に関するモニタリング情報は、第１通信機器１０のユーザの入力情報受信に関係なく、インタラクティブサービスの実行中に上記再生状況情報要求信号を周期的に第１機器３０＿１で発生させて得られるが、第１機器３０＿１に関するモニタリング情報を得ることは、前述したところに制限されるものではない。
【０１４９】
コンテンツ関連情報受信は、コンテンツ関連情報獲得命令の生成による。すなわち、第１通信機器１０及び第２通信機器２０がインタラクティブサービスの実行中に、第１通信機器２０のユーザがコンテンツ関連情報獲得命令を直接入力し、第１機器３０＿１が選択されれば、入力されたコンテンツ関連情報獲得命令が第１機器３０＿１に伝送される。これによって、第１通信機器１０は、第１機器３０＿１からコンテンツ関連情報を受信する。コンテンツ関連情報獲得命令は、前述した再生状況情報要求信号と同一であると理解される。
【０１５０】
もし、第１通信機器１０のユーザがコンテンツ関連情報獲得命令を直接入力したが、ターゲット機器が選択されなければ、第１通信機器１０は入力されたコンテンツ関連情報獲得命令をブロードキャストしてその応答信号からコンテンツ関連情報を抽出してコンテンツ関連情報を受信する。ターゲット機器は、コンテンツ関連情報を獲得する機器を意味する。コンテンツ関連情報獲得命令をブロードキャストする時、第１通信機器１０は、第１機器３０＿１を含む複数の周辺機器からコンテンツ関連情報を受信する。複数の周辺機器は、前述したようにコンテンツを再生している機器である。このように複数の周辺機器からコンテンツ関連情報を受信する場合に、第１通信機器１０は、前述した図１０に示した実施形態のように、受信されたコンテンツ関連情報のうち一つを選択する。
【０１５１】
第１通信機器１０のユーザがコンテンツ関連情報獲得命令を直接入力する時、第１通信機器１０が第１機器３０＿１と連結されてモニタリング中であるか、または第１通信機器１０が第１機器３０＿１を含む周辺機器と連結されていない状態で周辺機器をモニタリング中である場合に、モニタリング情報からコンテンツ関連情報を抽出する方式でコンテンツ関連情報を受信する。
【０１５２】
コンテンツ関連情報獲得命令は、第１通信機器１０と第２通信機器２０との間に伝送されるテキスト情報及び音声情報のパーシングによって自動的に生成される。伝送されるテキスト情報及び音声情報のパーシングによってコンテンツ関連情報獲得命令が自動的に生成されることは、伝送されるテキスト情報または音声情報に「コンテンツを共有する！」のようなコンテンツ共有意思を示す情報が含まれる場合である。
【０１５３】
また、コンテンツ関連情報の受信は、第１通信機器１０及び第１機器３０＿１にＮＦＣ（Ｎｅａｒ Ｆｉｅｌｄ Ｃｏｍｍｕｎｉｃａｔｉｏｎ）モジュール（図示せず）が含まれた場合に、第１通信機器１０と第１機器３０＿１との近距離通信接触動作による。
【０１５４】
一方、図１３でコンテンツ関連情報が受信されれば、第１通信機器１０は、受信されたコンテンツ関連情報に基づいてコンテンツ実行情報を生成する（Ｓ１３０７）。このために、第１通信機器１０は、コンテンツ関連情報をパーシングしてコンテンツを再生できる機器を判断し、判断された結果によって機器を制御できる命令語セットで構成されたコンテンツ実行情報を生成するプログラムによって運用される。
【０１５５】
コンテンツ実行情報は、第１機器３０＿１と第ｎ＋１機器４０＿１との間に再生されるコンテンツ間の同期化を考慮して生成される。例えば、コンテンツがリアルタイムで提供される放送コンテンツである場合に生成されたコンテンツ実行情報は、チャネルチューニング情報のみで同期化できる。しかし、クラウドサーバに保存されているコンテンツであるか、またはＶＯＤ基盤コンテンツである場合に、同期化のための再生時点情報または再生位置情報が含まれるように、コンテンツ実行情報は生成される。生成されたコンテンツ実行情報は、第１通信機器１０に表示されるが、図１３は、第１通信機器１０が生成されたコンテンツ実行情報を表示せずに第２通信機器２０に伝送する（Ｓ１３０８）。第１通信機器１０は、現在行われているインタラクティブサービスを用いてコンテンツ実行情報を伝送する。しかし、第１通信機器１０は、現在行われているインタラクティブサービスと異なる通信サービスを用いてコンテンツ実行情報を伝送する。第１通信機器１０と第２通信機器２０とのインタラクティブサービスについての他の通信サービスは、図７Ａ、図７Ｂ、図７Ｃ、図８及び図９で説明した通りの通信サービスである。
【０１５６】
すなわち、現在行われているインタラクティブサービスが、図２に示したようなチャットオンメッセンジャーサービスである場合に、第１通信機器１０は、コンテンツ実行情報をチャットオンメッセンジャーサービスに基づいて伝送する。メッセンジャーサービスを用いてコンテンツ実行情報を伝送する場合に、図２に示した吹き出し２０２内にコンテンツ実行情報が含まれて表示されるように、コンテンツ実行情報を伝送する。現在行われているインタラクティブサービスがＶｏＩＰ基盤通話サービスである場合に、第１通信機器１０は、コンテンツ実行情報をＶｏＩＰプロトコルのパケットの付加情報に伝送する。
【０１５７】
しかし、現在行われているインタラクティブサービスが一般映像通話サービスまたは一般電話サービスである場合に、第１通信機器１０は、ＳＭＳ、ＭＭＳサービスまたはメッセンジャーサービスを用いてコンテンツ実行情報を第２通信機器２０に伝送する。このために第１通信機器１０は、現在行われているインタラクティブサービスを維持しつつコンテンツ実行情報を伝送するための他の通信サービスを活性化させる。第１通信機器１０と第２通信機器２０とのインタラクティブサービスを維持しつつ、他の通信サービスを用いて第１通信機器１０から第２通信機器２０にコンテンツ実行情報を伝送することは、例えば、ワイファイを用いて複数の通信チャネルを設定して通信することと類似した技術で具現される。
【０１５８】
第２通信機器２０は、受信されたコンテンツ実行情報を表示しつつ（Ｓ１３０９）パーシングし、第２通信機器２０に設定された第ｎ＋１機器４０＿１制御アプリケーションを実行させ、第ｎ＋１機器４０＿１にコンテンツ再生制御信号を伝送する（Ｓ１３１０）。しかし、段階Ｓ１３０９で第２通信機器２０は、前述した図４Ｄの画面４２３に表示される領域４０３、または図５Ｄの画面５２３に表示される領域５０３のような形態で、コンテンツ実行情報と共に「Ｃｌｉｃｋ ｈｅｒｅ」または「Ａｃｃｅｐｔ、Ｄｅｎｙ」情報を表示する。このような場合に表示される「Ｃｌｉｃｋ ｈｅｒｅ」または「Ａｃｃｅｐｔ、Ｄｅｎｙ」の選択によって、第２通信機器２０は、段階Ｓ１３１０で表示されるコンテンツ実行情報に基づいたコンテンツ再生制御信号を第ｎ＋１機器４０＿１に伝送しつつ、図１３には図示していないが、第１通信機器１０にコンテンツ共有を受諾するメッセージまたは信号を伝送する。これによって、図１３には図示していないが、第１通信機器１０は、第２通信機器２０に伝送したコンテンツ実行情報に基づいたコンテンツ共有を第２通信機器２０が受諾したことを示す情報を出力し、ユーザが認識可能にする。
【０１５９】
コンテンツ再生制御信号を受信した第ｎ＋１機器４０＿１は、ネットワーク５０を介してサーバ６０にコンテンツを要求する（Ｓ１３１１）。サーバ６０から要求したコンテンツが受信されれば（Ｓ１３１２）、第ｎ＋１機器４０＿１は、受信されたコンテンツを再生する（Ｓ１３１３）。コンテンツがリアルタイムで提供される放送コンテンツである場合に、第ｎ＋１機器４０＿１は、受信されたコンテンツ再生制御信号によって通信チャネルチューニングを行い、地上波放送局（図示せず）または有線放送局（図示せず）からコンテンツを受信して再生する。
【０１６０】
第ｎ＋１機器４０＿１で共有するコンテンツを再生すれば、第２通信機器２０は、第ｎ＋１機器４０＿１に第１通信機器１０とのインタラクティブサービスを続けて行うことを要求する（Ｓ１３１４）。この場合は、第１通信機器１０と第２通信機器２０との間のインタラクティブサービスを第ｎ＋１機器４０＿１で行える場合である。例えば、第ｎ＋１機器４０＿１がスマートＴＶであり、第１通信機器１０と第２通信機器２０との間で行われているインタラクティブサービスが映像通話サービスである場合に、第ｎ＋１機器４０＿１は、第２通信機器２０で行われている第１通信機器１０及びインタラクティブサービスを続けて行える。
【０１６１】
前述したインタラクティブサービスを続けて行うことを要求する信号は、第１通信機器１０と第２通信機器２０とのインタラクティブサービスを行うために必要な情報を含む。例えば、上記インタラクティブサービスが電話番号に基づいて行われた場合に、上記必要な情報は、第１通信機器１０の電話番号情報を含む。上記インタラクティブサービスが電子メールアドレスに基づいて行われた場合に、上記必要な情報は電子メールアドレス情報を含む。上記インタラクティブサービスがＳＮＳ（Ｓｏｃｉａｌ Ｎｅｔｗｏｒｋ Ｓｅｒｖｉｃｅ）勘定情報に基づいて行われた場合に、上記必要な情報はＳＮＳ勘定情報を含む。
【０１６２】
段階Ｓ１３１４でのインタラクティブサービスを続けて行うことを要求する信号が受信されることで、第ｎ＋１機器４０＿１は、ネットワーク５０を介して第１通信機器１０と連結され、第１通信機器１０と第２通信機器２０との間に行われているインタラクティブサービスを続けて行う（Ｓ１３１５）。
【０１６３】
例えば、第２通信機器２０に表示されているインタラクティブサービス基盤の映像通話画面が図１４の１４１０の通りである時、第ｎ＋１機器４０＿１で続けてインタラクティブサービスを行う場合に、第ｎ＋１機器４０＿１は、１４２０画面のように、再生されるコンテンツ１４２１と、インタラクティブサービスに基づいた映像通話画面１４２２とを同時に表示する。図１４は、図１３でのインタラクティブサービスを続けて行う時の第ｎ＋１機器４０＿１の画面の例である。再生されるコンテンツ１４２１と双方向通信サービスに基づいた映像通話画面１４２２とは、画面分割構造で提供される。画面分割領域は、インタラクティブサービスのタイプによって定められる。例えば、メッセンジャーサービスである場合に、映像通話サービスより小さな画面領域が割り当てられる。
【０１６４】
しかし、インタラクティブサービスに基づいた映像通話画面１４２２がポップアップ窓形態で表示される。映像通話画面１４２２がポップアップ窓の形態で表示される場合に、第ｎ＋１機器４０＿１についての画面制御によって映像通話画面１４２２のポップアップ窓の位置は移動する。例えば、第ｎ＋１機器４０＿１がタッチ基盤のユーザ入力が可能な場合に、上記映像通話画面１４２２のポップアップ窓についてのタッチ・アンド・ドラッグ動作によって、映像通話画面１４２２のポップアップ窓のディスプレイ位置を移動させる。
【０１６５】
第ｎ＋１機器４０＿１でインタラクティブサービスを続けて行えば、第ｎ＋１機器４０＿１は、第２通信機器２０に第１通信機器１０とのインタラクティブサービスを続けて行っていることを通知する（Ｓ１３１６）。これによって第２通信機器２０は、第１通信機器１０とのインタラクティブサービスを終了し（Ｓ１３１７）、第１通信機器１０は、第ｎ＋１機器４０＿１とインタラクティブサービスを維持しつつ、ユーザ同士で視聴経験を共有する。
【０１６６】
図１３のフローチャートは、段階Ｓ１３０３から段階Ｓ１３１４まで動作を行う間に、第１通信機器１０と第２通信機器２０とのインタラクティブサービスは維持されていると理解されねばならない。
【０１６７】
図１５は、本発明の好適なさらに他の実施形態によるコンテンツ共有方法であり、図１３のフローチャートに共有するコンテンツについての第１通信機器１０のユーザの承認過程、第１通信機器１０のコンテンツ共有要求及び第２通信機器２０のコンテンツ共有要求についての受諾過程が加えられ、コンテンツ及びコンテンツ実行情報を伝送する過程が図１３のフローチャートと異なる場合である。図１５の段階Ｓ１５０１〜１５０５は、図１３の段階Ｓ１３０１〜１３０５と同一であるので、以下で説明を略する。
【０１６８】
図１５の段階Ｓ１５０５で、第１機器３０＿１からコンテンツ関連情報が受信されれば、第１通信機器１０は、受信されたコンテンツ関連情報を表示する（Ｓ１５０６）。表示されるコンテンツ関連情報についての第１通信機器１０のユーザの承認信号が入力されれば（Ｓ１５０７）、第１通信機器１０は、コンテンツ共有要求を第２通信機器２０に伝送する（Ｓ１５０８）。これによって第２通信機器２０は、コンテンツ共有要求メッセージを表示する（Ｓ１５０９）、これについてのユーザの共有要求受諾信号が入力されれば（Ｓ１５１０）、第２通信機器２０は、コンテンツ共有要求についての受諾を示す信号を第１通信機器１０に伝送する（Ｓ１５１１）、前述した第１通信機器１０でのユーザの承認信号、第２通信機器２０でのコンテンツ共有要求メッセージ及びコンテンツ共有要求受諾信号などは、前述した図４Ａないし図４Ｃに示した情報４０１及び図５Ａないし図５Ｃに示した情報５０１に基づいて入力または表示される。
【０１６９】
第２通信機器２０は、コンテンツ共有要求についての受諾を示す信号を伝送する時、第ｎ＋１機器４０＿１に関する情報を共に伝送する。第ｎ＋１機器４０＿１に関する情報は、機器のＩＰアドレスを含むＵＲＬ（Ｕｎｉｆｏｒｍ Ｒｅｓｏｕｒｃｅ Ｌｏｃａｔｏｒ）のような情報であり、通信に必要な情報、製造使命、モデル、機器種類などを含む。
【０１７０】
しかし、段階Ｓ１５１０で第２通信機器２０が、第１通信機器１０に第ｎ＋１機器４０＿１に関する情報を伝送せず、第１通信機器１０は、予め第ｎ＋１機器４０＿１に関する情報を持っていてもよい。すなわち、第１通信機器１０と第２通信機器２０とのインタラクティブサービスと関係なく、第１通信機器１０のユーザによって予め第ｎ＋１機器４０＿１に関する情報が第１通信機器１０に保存されるか、または第１通信機器１０と第２通信機器１０とのインタラクティブサービス実行時に第２通信機器２０と連結できる周辺機器に関する情報を、第１通信機器１０が収集して保存する。第２通信機器２０と連結される周辺機器に関する情報収集は、第１通信機器１０の要求によるか、または第１通信機器１０の要求に関係なく第２通信機器２０から伝送される。このような場合に、第１通信機器１０と連結される周辺機器に関する情報も第２通信機器２０に伝送される。
【０１７１】
第２通信機器２０からコンテンツ共有要求についての受諾を示す信号が受信されれば、第１通信機器１０は、第１機器３０＿１にコンテンツ実行情報伝送を要求する（Ｓ１５１２）。この時、第１通信機器１０は、第ｎ＋１機器４０＿１に関する情報を共に伝送する。もし第２通信機器２０の周辺機器が図１に示したように複数であり、これに関する情報を第１通信機器１０が持っていれば、第１通信機器１０は、第１機器３０＿１にコンテンツ実行情報伝送を要求する前に複数の周辺機器４０＿１〜４０＿ｍのうち少なくとも一つを選択し、選択された機器の情報を共に伝送する。複数の周辺機器についての選択は、図１１Ａ及び図１１Ｂと図１２に示したように行われるが、これに制限されるものではない。もし第２通信機器２０の周辺機器に関する情報が、図１１Ａ及び図１１Ｂと図１２に示したように図示され、選択される場合に、図１１Ａ及び図１１Ｂと図１２に示した画面は、コンテンツを再生する機器についての推薦情報を提供する画面と呼ばれる。
【０１７２】
コンテンツ実行情報伝送が要求されれば、第１機器３０＿１は、受信されたコンテンツ実行情報伝送要求信号に含まれている第ｎ＋１機器４０＿１に関する情報及びコンテンツ関連情報を用いて、コンテンツ及びコンテンツ実行情報のうち少なくとも一つの情報を生成する（Ｓ１５１３）。コンテンツ実行情報は、前述したように第ｎ＋１機器４０＿１でコンテンツを再生するための命令語セットであるので、第ｎ＋１機器４０＿１で認識できるデータフォーマットで構成される。
【０１７３】
第ｎ＋１機器４０＿１で認識できるデータフォーマットの構成は、上記第ｎ＋１機器４０＿１に関する情報に基づいて行われる。すなわち、第１機器３０＿１に各機器の命令語セットに関する情報が保存されていれば、第ｎ＋１機器４０＿１に関する情報に基づいて、第１機器３０＿１に保存された命令語セットのうち当たる命令語セットを用いてコンテンツ実行情報を生成する。第１機器３０＿１に各機器の命令語セットに関する情報が保存されていなければ、サーバ６０に接続して第ｎ＋１機器２０に関する情報に基づいてコンテンツ実行情報を生成できる情報またはプログラムをダウンロードしてコンテンツ実行情報を生成するか、またはサーバ６０にコンテンツ実行情報生成を要求し、サーバ６０で生成したコンテンツ実行情報を受信して使える。
【０１７４】
第１機器３０＿１は、コンテンツ及び第ｎ＋１機器４０＿１に関する情報に基づいて生成されたコンテンツ実行情報のうち少なくとも一つを、ネットワーク５０を介して第ｎ＋１機器４０＿１に伝送する（Ｓ１５１４）。コンテンツ実行情報が受信されれば、第ｎ＋１機器４０＿１は、受信されたコンテン実行情報に基づいてサーバ６０にコンテンツを要求する（Ｓ１５１５）。サーバ６０からコンテンツを受信すれば（Ｓ１５１６）、第ｎ＋１機器４０＿１は、受信されたコンテンツを再生する。コンテンツ及びコンテンツ実行情報が受信されれば、第ｎ＋１機器４０＿１は、サーバ６０にコンテンツを要求せずに受信されたコンテンツを再生する。したがって、このような場合に段階Ｓ１５１５及びＳ１５１６は行われない。コンテンツさえ受信されれば、第ｎ＋１機器４０＿１は、受信されたコンテンツを再生できる応用プログラムを用いて再生する。
【０１７５】
前述した段階Ｓ１５０３〜Ｓ１５１７に基づいた動作を行う間に、第１通信機器１０と第２通信機器２０とのインタラクティブサービスは維持される（Ｓ１５１８）。したがって、第１通信機器１０及び第２通信機器２０のユーザは、各自の周辺機器３０＿１、４０＿１に基づいた視聴または聴取経験を共有する。第ｎ＋１機器４０＿１は、コンテンツがリアルタイム放送コンテンツである時、チャネルチューニングで放送コンテンツを受信する。
【０１７６】
図１５のフローチャートは、第１機器３０＿１で生成されたコンテンツ実行情報を第ｎ＋１機器４０＿１に直接伝送せず、第１通信機器１０及び第２通信機器２０を通じて第ｎ＋１機器４０＿１に伝送されるように変形できる。
【０１７７】
前述した図３、図６、図１０、図１３、図１５に示したフローチャートは、図７Ａ、図７Ｂ、図８、図１１Ａ、図１１Ｂ、図１２に示したような過程をいずれもまたは選択的に含むように変更される。例えば、図３、６、１０、１３、１５は、コンテンツ実行情報またはコンテンツ関連情報などを伝送するために、図７Ａ、図７Ｂ、図８に示したように選択可能な通信サービス情報を推薦及び選択する過程を含むように変更される。図３、図６、図１０、図１３、図１５は、コンテンツまたはコンテンツ実行情報またはコンテンツ関連情報を提供する周辺機器を選択するために、図１１Ａ、図１１Ｂ、図１２に示したように、第１通信機器１０に関する選択可能な周辺機器を推薦及び選択する過程を含むように変更される。図３、図６、図１０、図１３、図１５は、コンテンツを再生する周辺機器を選択するために、図１１Ａ、図１１Ｂ、図１２に示したように、ｗｐ２通信機器２０に関する選択可能な周辺機器を推薦及び選択する過程を含むように変更される。
【０１７８】
図１に示したコンテンツ共有システム基盤で、前述した図３、図６、図１０、図１３、図１５に示したフローチャートによって動作するために、第１通信機器１０は図１６Ａに示したように構成され、第２通信機器２０は図１６Ｂに示したように構成される。
【０１７９】
図１６Ａは、図１に示した第１通信機器１０の機能ブロック図であり、図１６Ｂは、第２通信機器２０の機能ブロック図である。図１６Ａ及び図１６Ｂに示したところから分かるように、第１通信機器１０の機能ブロック図及び第２通信機器２０の機能ブロック図は同一または類似して構成される。しかし、前述したように第１通信機器１０と第２通信機器２０とが互いに異なる種類の機器である場合に機能ブロック図に差があり、同じ機能ブロック図であるとしても機能上に差がありうる。
【０１８０】
例えば、図１６Ａの第１通信機器１０の保存部１６０７に保存されるプログラムと、図１６Ｂの第２通信機器２０の保存部１６２０に保存されるプログラムとが異なる。第１通信機器１０と第２通信機器２０とが同種の機器であるとしても、設定されたアプリケーションプログラムに基づいて保存部１６０７及び保存部１６２０にそれぞれ保存されるプログラムは相異なる。しかし、保存部１６０７及び保存部１６２０には、サーバ６０と接続できる情報と、該機器を制御できる最小限の情報のみ保存される。このように保存部１６０７及び保存部１６２０に情報が保存される場合に、第１通信機器１０及び第２通信機器２０はクラウド機器と呼ばれる。
【０１８１】
また、第１通信機器１０に備えられた第１通信部１６０８及び第２通信部１６０９と、第２通信機器２０に備えられた第１通信部１６２１及び第２通信部１６２２とは、他の通信プロトコルに基づいて動作するように構成される。第１通信機器１０に備えられたカメラ１６０４及びタッチスクリーン１６０３と、第２通信機器２０に備えられたカメラ１６１５及びタッチスクリーン１６１４との規格は異なる。しかし、図１６Ａ及び図１６Ｂに示した第１通信機器１０及び第２通信機器２０に備えられた各機能ブロック図の本質的な機能は類似していると理解されねばならない。
【０１８２】
図１６Ａを参照すれば、第１通信機器１０は、ユーザ入力部１６０１、センシング部１６０２、タッチスクリーン１６０３、カメラ１６０４、オーディオ入力部１６０５、オーディオ出力部１６０６、保存部１６０７、第１通信部１６０８、第２通信部１６０９、ポート１６１０、プロセッサ１６１１、及び電源部１６１２を備える。しかし、第１通信機器１０の構成は、図１６Ａに示したところに制限されるものではない。
【０１８３】
ユーザ入力部１６０１は、第１通信機器１０の動作を制御するための入力データ（または制御データ）及び前述したユーザの入力情報を発生させる。ユーザ入力部１６０１は、キーパッド、ドームスイッチ、マウスを代替するタッチパッド、ジョグホイール、ジョグスイッチ、ハードウェア（Ｈ／Ｗ）ボタンなどを含む。
【０１８４】
センシング部１６０２は、第１通信機器１０の位置、ユーザの接触如何、第１通信機器１０の方位、第１通信機器１０の加速または減速などの第１通信機器１０の現在状態を感知して第１通信機器１０の動作を制御するためのセンシング信号を発生させる。センシング部１６０２は、近接センサー及び前述したモーションセンサーを備える。したがって、センシング部１６０２は、センサー基盤のユーザジェスチャーを認識した信号を発生させる。
【０１８５】
近接センサーは、既定の検出面に近付く物体、または近くに存在する物体の有無を、電磁界の力または赤外線を用いて機械的接触なしに検出するセンサーをいう。近接センサーの例として、透過型光電センサー、直接反射型光電センサー、ミラー発射型光電センサー、高周波発振型近接センサー、静電容量型近接センサー、磁気型近接センサー、赤外線近接センサーなどがある。
【０１８６】
タッチスクリーン１６０３基盤のユーザ入力情報は、ユーザのジェスチャーに依存するユーザの要求またはユーザの選択によって発生する。ユーザのジェスチャーは、タッチ回数、タッチパターン、タッチ面積、及びタッチ強度の多様な組み合わせによって、前述したユーザジェスチャーの例のように多様に定義される。タッチスクリーン１６０３に対するユーザの指に基づいたタッチは、タッチスクリーン１６０３のタッチ領域をタッチできるユーザの身体部位に基づくと理解される。
【０１８７】
またタッチスクリーン１６０３は、タッチスクリーン１６０３のタッチまたは近接タッチを感知するための多様なセンサーが備えられる。タッチスクリーン１６０３に備えられるセンサーは、タッチスクリーン１６０３上のユーザのジェスチャーまたはパターンを感知するセンサーを意味する。したがって、タッチスクリーン１６０３は、前述したタッチ基盤のドラッグ、フリック、タップ、タッチアンドホールド、ダブルタップ、パンニング、スイープなどと、近接センサーに基づいたユーザジェスチャーまたはパターンをセンシングした信号を発生させる。タッチスクリーン１６０３のための近接センサーは、センシング部１６０２に含まれる近接センサーと同一である。
【０１８８】
タッチスクリーン１６０３のタッチを感知するセンサーの一例には、触覚センサーがある。触覚センサーは、接触面の粗度、接触物体の堅さ、接触地点の温度などの多様な情報を感知できる。タッチスクリーン１６０３のタッチは、パネルにポインタがタッチされた場合である。タッチは、マルチタッチを含む。タッチスクリーン１６０３の近接タッチは、ポインタがタッチスクリーン１６０３に実際にタッチされず、タッチスクリーン１６０３から所定距離内に近づいた場合である。ポインタは、タッチスクリーン１６０３の特定部分をタッチするか、または近接タッチするための道具である。その一例として、スタイラスペン、指または指に対応する人の身体部位または指に対応する道具などがある。したがって、ポインタは外部入力装置と呼ばれる。
【０１８９】
タッチスクリーン１６０３は、第１通信機器１０で処理される情報を出力する。例えば、タッチスクリーン１６０３は、タッチスクリーン１６０３に備えられたセンシング部を通じてセンシングされたユーザのジェスチャーまたはタッチパターン、またはユーザ入力部１６０１を通じて入力された制御データまたはユーザの入力情報、またはセンシング部１６０２を通じて感知された信号に応答する画面を表示する。
【０１９０】
タッチスクリーン１６０３は、入力及び出力装置と呼ばれる。タッチスクリーン１６０３が入力及び出力装置である時、タッチスクリーン１４０３に表示される画面は、ＵＩ（Ｕｓｅｒ Ｉｎｔｅｒｆａｃｅ）またはＧＵＩ（Ｇｒａｐｈｉｃ Ｕｓｅｒ Ｉｎｔｅｒｆａｃｅ）画面を含む。タッチスクリーン１６０３は、再生されているコンテンツ映像を表示し、ユーザ入力情報を受信する。また、本発明の好適な実施形態によって双方向通信サービスに基づいた情報、コンテンツ共有のためのコンテンツ関連情報及びコンテンツ実行情報などを表示する。
【０１９１】
タッチスクリーン１６０３は、液晶ディスプレイ（Ｌｉｑｕｉｄ Ｃｒｙｓｔａｌ Ｄｉｓｐｌａｙ）、薄膜トランジスタ液晶ディスプレイ（Ｔｈｉｎ Ｆｉｌｍ Ｔｒａｎｓｉｓｔｏｒ−Ｌｉｑｕｉｄ Ｃｒｙｓｔａｌ Ｄｉｓｐｌａｙ）、有機発光ダイオード（Ｏｒｇａｎｉｃ Ｌｉｇｈｔ−ｅｍｉｔｔｉｎｇ ｄｉｏｄｅ）、フレキシブルディスプレイ、３次元ディスプレイ、及びＡＭＯＬＥＤ（Ａｃｔｉｖｅ−Ｍａｔｒｉｘ Ｏｒｇａｎｉｃ Ｌｉｇｈｔ−Ｅｍｉｔｔｉｎｇ Ｄｉｏｄｅ）などを含むが、これらに制限されるものではない。タッチスクリーン１６０３は、ディスプレイと呼ばれる。タッチスクリーン１６０３は、第１通信機器１０の具現形態によって２つ以上存在する。
【０１９２】
カメラ１６０４は、映像通話モードまたは撮影モードでイメージセンサー（または光センサー）によって得られる静止画像または動画などの画像フレームを処理する。そして処理された画像フレームは、タッチスクリーン１６０３に表示される。カメラ１６０４で処理された画像フレームは保存部１６０７に保存されるか、または第１通信部１６０８、第２通信部１６０９、またはポート１６１０を通じて外部に伝送される。カメラ１６０４は、第１通信機器１０の構成によって２つ以上が備えられる。また、カメラ１６０４は、ユーザの空間ジェスチャーを認識する入力装置として使われる。カメラ１６０４によって得られる画像フレームは、本発明の好適な実施形態による双方向通信サービスによって生成されたユーザのイメージである。
【０１９３】
オーディオ入力部１６０５は、通話モード、または録画モード、または音声認識モードなどで外部の音響信号を入力されて電気的な音声データに変換し、プロセッサ１６１１に伝送する。オーディオ入力部１６０５は、例えば、マイクロホンで構成される。オーディオ入力部１６０５は、外部の音響信号を入力される過程で発生するノイズを除去するための多様なノイズ除去アルゴリズムを含むように構成される。
【０１９４】
オーディオ入力部１６０５を用いて入力される上記音響信号は、本発明の好適な実施形態によるインタラクティブサービス及びコンテンツ共有のための自然語基盤のユーザ入力情報である。例えば、コンテンツ関連情報獲得命令がオーディオ入力部１６０５を通じて入力される。自然語基盤のユーザ入力情報は、音声認識基盤のユーザ入力情報を意味する。オーディオ入力部１６０５を通じて入力される外部の音響信号は、保存部１４０７に保存されるか、または第１通信部１６０８または第２通信部１６０９またはポート１６１０を通じて外部に伝送される。
【０１９５】
第１通信機器１０とユーザとのインターフェース機能によって、ユーザ入力部１６０１、センシング部１６０２、タッチスクリーン１６０３、カメラ１６０４、オーディオ入力部１６０５は、情報入力部または情報入出力部と呼ばれる。例えば、第１通信機器１０とユーザとのユーザインターフェース機能が、タッチ認識機能、音声認識機能、及び空間ジェスチャー認識機能を含む場合に、ユーザ入力部１６０１、センシング部１６０２、カメラ１６０４、オーディオ入力部１６０５は、情報入力部と言及され、タッチスクリーン１６０３は情報入出力部と呼ばれる。
【０１９６】
オーディオ出力部１６０６は、通話モードまたはオーディオ再生モードなどで第１通信機器１０の外部から受信される音響信号またはオーディオ信号を出力する。オーディオ出力部１６０６はスピーカーで構成される。オーディオ出力部１６０６は、コンテンツが再生される時、再生されるコンテンツにオーディオ信号が含まれていれば、再生されるコンテンツに含まれているオーディオ信号を出力する。オーディオ入力部１６０５及びオーディオ出力部１６０６は、ヘッドセットのように一体型に構成される。
【０１９７】
保存部１６０７は、後述するプロセッサ１６１１で実行可能に構成された少なくとも一つのプログラム及び／または命令語セットと資源（ｒｅｓｏｕｒｃｅ）を保存する。少なくとも一つのプログラムは、本発明の好適な実施形態による機器間の双方向通信サービスを行う間にコンテンツ共有を行うために必要な少なくとも一つのプログラム、第１通信機器１０のオペレーティングシステムプログラム、第１通信機器１０で行われる各種機能に関するアプリケーションプログラム、及び第１通信機器１０に含まれたハードウェアコンポーネントを駆動させるプログラムを含む。
【０１９８】
資源は、本発明の好適な実施形態によってコンテンツ実行情報を生成するために必要な機器の情報、第１通信機器１０のユーザ情報、第１通信機器１０に設定されたアプリケーションプログラムの運用に必要な情報、及び前述したハードウェアコンポーネントを駆動させるのに必要なプログラムの実行に必要な情報を含む。上記コンテンツ実行情報を生成するために必要な機器情報は、機器の識別情報に基づいて機器が認識できる命令語セットを生成できる情報を含む。機器の識別情報は、前述した図１５の段階Ｓ１５１２で説明された機器に関する情報に含まれる。
【０１９９】
保存部１６０７は、上記オペレーティングシステムプログラムを始めとする第１通信機器１０に含まれた各構成要素を駆動させる少なくとも一つのプログラムを保存する保存部と、本発明の好適な実施形態によるコンテンツ共有方法を行う一つ以上のプログラムと資源及び上記アプリケーションプログラムを保存する保存部を独立的に構成する。
【０２００】
保存部１６０７は、高速ランダムアクセスメモリ、磁気ディスク保存装置、フラッシュメモリなどの不揮発性メモリまたは他の揮発性半導体メモリを含む。したがって、保存部１６０７はメモリと呼ばれる。
【０２０１】
保存部１６０７に保存される少なくとも一つのプログラム及び／または命令語セットは、機能によって複数のモジュールに保存される。
【０２０２】
図１７は、保存部１６０７に保存されるプログラム及び／または命令語セットをモジュール別に分類した例である。図１７を参照すれば、保存部１６０７は、オペレーティングシステム１７０１、第１通信モジュール１７０２、第２通信モジュール１７０３、グラフィックモジュール１７０４、ＧＰＳ（Ｇｌｏｂａｌ Ｐｏｓｉｔｉｏｎ Ｓｙｓｔｅｍ）モジュール１７０５、ＵＩモジュール１７０６、センシングモジュール１７０７、接触及び動きモジュール１７０８、電源モジュール１７０９、及びアプリケーションモジュール１７１０を備えるが、これらに制限されるものではない。
【０２０３】
アプリケーションモジュール１７１０は、コンテンツ再生モジュール１７１１、コンテンツ共有モジュール１７１２、外部機器制御モジュール１７１３、映像通話モジュール１７１４、音声通話モジュール１７１５、メッセンジャーモジュール１７１６、ＳＭＳモジュール１７１７、ＭＭＳモジュール１７１８、及びフォンブックモジュール１７１９を備えるが、これらに制限されるものではない。
【０２０４】
オペレーティングシステム１７０１は、第１通信機器１０の一般的な機能を制御して管理するものであり、第１通信機器１０内のハードウェア及びソフトウェアコンポーネント間の通信を可能にするソフトウェアコンポーネントを備える。
【０２０５】
第１通信モジュール１７０２は、第１通信部１６０８を通じて第２通信機器２０及びサーバ６０との通信を可能にし、第１通信部１６０８を通じて第２通信機器２０及びサーバ６０から受信されるデータと、第２通信機器２０及びサーバ６０に伝送されるデータとを処理するためのソフトウェアコンポーネントを備える。本発明の好適な実施形態によって第１通信モジュール１７０２は、第２通信機器２０とのインタラクティブサービスを行う時にメッセージ、映像及びオーディオ信号、及びコンテンツ実行情報を伝送する。
【０２０６】
第２通信モジュール１７０３は、第２通信部１６０９またはポート１６１０を通じて第１機器３０＿１との通信を可能にし、第２通信部１６０９またはポート１６１０を通じて第１機器３０＿１から受信されるデータと、第１機器３０＿１に伝送されるデータとを処理するためのソフトウェアコンポーネントを備える。本発明の好適な実施形態によって第２通信モジュール１７０３は、第１機器３０＿１からコンテンツ関連情報を受信するために、第２通信部１６０９またはポート１６１０を通じてデータを送受信できる。すなわち、コンテンツ関連情報を受信するために再生状況情報要求及びコンテンツ関連情報獲得命令をブロードキャストするか、または第１機器３０＿１に伝送し、それについての応答信号を受信する。
【０２０７】
グラフィックモジュール１７０４は、タッチスクリーン１６０３に表示されるグラフィックの輝度調節及びレンダリングのためのソフトウェアコンポーネント、及びアプリケーションモジュール１７１０によってテキストを入力するための仮想キーボード（またはソフトキーボード）を提供するソフトウェアコンポーネントを備える。
【０２０８】
ＧＰＳモジュール１７０５は、第１通信機器１０の位置を定め、定められた位置情報を、位置基盤サービスを提供するアプリケーションに提供するソフトウェアコンポーネントを備える。
【０２０９】
ＵＩモジュール１７０６は、タッチスクリーン１６０３基盤のＵＩ情報を提供するアプリケーションに必要なＵＩを提供するソフトウェアコンポーネントを備える。
【０２１０】
センシングモジュール１７０６は、センシング部１６０２基盤のセンシング情報を定め、定められたセンシング情報基盤のサービスを提供するアプリケーションモジュール１７１０に提供するソフトウェアコンポーネントを備える。
【０２１１】
接触及び動きモジュール１７０７は、タッチスクリーン１６０３基盤のタッチ接触を感知し、接触に基づいた動きを追跡してこれを必要とするアプリケーションモジュール１７１０に提供するソフトウェアコンポーネントを備える。
【０２１２】
電源モジュール１７０９は、オペレーティングシステム１７０１と連動して第１通信機器１０内のハードウェアコンポーネントに対する電源供給を制御し、タッチスクリーン１６０３に供給される電源についての節電モードを制御するソフトウェアコンポーネントを備える。
【０２１３】
アプリケーションモジュール１７１０に含まれるモジュールの機能は、その名称で当業者が直感的に推論できると考えられるので、本発明の好適な実施形態に関するアプリケーションモジュールを中心として説明する。
【０２１４】
例えば、第１通信機器１０のユーザがタッチスクリーン１６０３を通じて第２通信機器２０情報基盤の映像通話を要求すれば、プロセッサ１６１１は、映像通話モジュール１７１４の動作をスタートする。これによって、プロセッサ１６１１は、第１通信部１６０８を通じて第２通信機器２０との連結を試みる。第１通信機器１０と第２通信機器２０とが連結され、映像通話サービスの実行中に第１通信機器１０のユーザによってコンテンツの共有が要求されれば、映像通話モジュール１７１４はコンテンツ共有モジュール１７１２と連動され、映像通話サービスを行いつつコンテンツ共有可能にする。
【０２１５】
すなわち、映像通話モジュール１７１４とコンテンツ共有モジュール１７１２とが連動されることで、プロセッサ１６１１は、第１機器３０＿１からコンテンツ関連情報を受信し、受信されたコンテンツ関連情報に基づいてコンテンツ実行情報を生成する。コンテンツ実行情報が生成されれば、プロセッサ１６１１は、第１通信モジュール１６０２を用いて生成されたコンテンツ実行情報を第２通信機器２０に伝送する。
【０２１６】
それ以外にも、前述した図３、図６、図１０、図１３、図１５に示したフローチャートで言及された動作を行うために、プロセッサ１６１１は、映像通話モジュール１７１４を外部機器制御モジュール１７１３及び第２通信モジュール１７０２と連動させる。また、前述したコンテンツ関連情報を他の通信サービスを用いて伝送するために、プロセッサ１６１１は、ＭＭＳモジュール１７１８、ＳＭＳモジュール１７１７、メッセンジャーモジュール１７１６のうち一つのモジュールと映像通話モジュール１７１４を連動させるか、またはアプリケーションモジュール１７１０に含まれたアプリケーションに基づいて選択可能な通信サービス情報を、タッチスクリーン１６０３に図７Ａ及び図７Ｂのように表示する。したがって、アプリケーションモジュール１７１０は多様な通信サービスモジュールを含む。
【０２１７】
アプリケーションモジュール１７１０に含まれるモジュールは、図１７に示したところに限定されず、インスタントメッセージングモジュール、画像会議モジュール、イメージ管理モジュール、ブラウジングモジュール、カレンダーモジュール、ウィジェットモジュール、検索モジュール及びワード文書作成モジュールなど多様なモジュールをさらに含むと定義できる。また、アプリケーションモジュール１７１０に含まれるモジュールは、エンジンと呼ばれる。
【０２１８】
保存部１６０７は、図１７に示したプログラム及び／または命令語セットのうちアプリケーションモジュール１７１０に含まれるモジュールを保存しないか、またはアプリケーションモジュールのＵＲＬのような位置情報及びアプリケーションモジュールを示す表示情報のみ保存できる。保存部１６０７にアプリケーションモジュール１７１０に含まれるモジュールが保存されていない場合に、プロセッサ１６１１は、通信部１６０８を通じてサーバ６０と接続し、サーバ６０に保存されているアプリケーションモジュール１７１０に対応するプログラム及び／または命令語セットを使う。保存部１６０７にアプリケーションモジュールの位置情報及びアプリケーションモジュールを示す表示情報のみ保存された場合に、タッチスクリーン１６０３を通じて表示されるアプリケーションモジュールの表示情報に基づいたユーザの選択信号に対応するアプリケーションの位置情報を用いて、プロセッサ１６１１は、通信部１６０８を通じてサーバ６０に保存されているユーザによって選択されたアプリケーションのプログラム及び／または命令語セットを使う。
【０２１９】
第１通信部１６０８は、無線インターネット、無線イントラネット、無線電話ネットワーク、無線ＬＡＮ、ワイファイ、ワイファイダイレクト（ＷＦＤ、Ｗｉ−Ｆｉ Ｄｉｒｅｃｔ）、３Ｇ（Ｇｅｎｅｒａｔｉｏｎ）、４ＧＬＴＥ（Ｌｏｎｇ Ｔｅｒｍ Ｅｖｏｌｕｔｉｏｎ）、ブルートゥース、赤外線通信（ＩｒＤＡ、Ｉｎｆｒａｒｅｄ Ｄａｔａ Ａｓｓｏｃｉａｔｉｏｎ）、ＲＦＩＤ（Ｒａｄｉｏ Ｆｒｅｑｕｅｎｃｙ Ｉｄｅｎｔｉｆｉｃａｔｉｏｎ）、ＵＷＢ（Ｕｌｔｒａ ＷｉｄｅＢａｎｄ）、ジグビー（Ｚｉｇｂｅｅ（登録商標））のような無線ネットワークまたは有線インターネットのような有線ネットワークを通じて、第２通信機器２０またはサーバ６０とデータを送受信できる。
【０２２０】
第１通信部１６０８は、放送受信モジュール、移動通信モジュール、無線インターネットモジュール、有線インターネットモジュール、近距離通信モジュール、位置情報モジュールのうち少なくとも一つを含むが、これらに制限されるものではない。
【０２２１】
放送受信モジュールは、放送チャネルを通じて外部の放送管理サーバ（図示せず）から放送信号及び／または放送に関する情報を受信する。放送チャネルは、衛星チャネル、地上波チャネル、ケーブルチャネルを含む。移動通信モジュールは、移動通信網上で基地局（図示せず）、第２通信機器２０、サーバ６０と無線信号を送受信する。無線信号は、音声呼信号、画像通話呼、または文字／マルチメディアメッセージの送受信による多様な形態のデータを含む。
【０２２２】
無線インターネットモジュールは、無線インターネット接続のためのモジュールを意味する。有線インターネットモジュールは、有線インターネット接続のためのモジュールを意味する。近距離通信モジュールは、近距離通信のためのモジュールをいう。近距離通信技術に、ブルートゥース、ＲＦＩＤ、赤外線通信、ＵＷＢ、ジグビー、ＷＦＤ、ＮＦＣなどが用いられる。
【０２２３】
位置情報モジュールは、第１通信機器１０の位置を確認または得るためのモジュールである。一例として、ＧＰＳ基盤位置情報モジュールがある。ＧＰＳ基盤位置情報モジュールは、複数の人工衛星から位置情報を受信する。位置情報は、緯度及び経度で表示される座標情報を含む。
【０２２４】
図１に示したネットワーク５０は、前述した第１通信部１６０８で呼ばれる無線ネットワーク及び有線ネットワークを含む。
【０２２５】
第２通信部１６０９は、ＮＦＣ、ブルートゥース、赤外線通信（ＩｒＤＡ）、ＲＦＩＤ、ジグビーなどに基づいた近距離無線ネットワークまたはホームＰＮＡ（Ｐｈｏｎｅｌｉｎｅ Ｎｅｔｗｏｒｋｉｎｇ Ａｌｌｉａｎｃｅ）に基づいた有線ネットワークを通じて第１〜第ｎ機器３０＿１〜３０＿ｎとデータを送受信可能に構成される。
【０２２６】
第２通信部１６０９は、前述した第１通信部１６０８に含まれる近距離通信モジュールを含む。したがって、第２通信部１６０９は、第１通信部１６０８に備えられると定義される。
【０２２７】
ポート１６１０は、ＵＳＢ（Ｕｎｉｖｅｒｓａｌ Ｓｅｒｉａｌ Ｂｕｓ）ポート（図示せず）のようなプラグ・アンド・プレイ・インターフェースを用いて、第１〜第ｎ機器３０＿１〜３０＿ｎとデータを送受信できる。プラグ・アンド・プレイ・インターフェースは、第１通信機器１０のプラグに第１機器３０＿１が差し込まれて自動にプレイするモジュールを意味する。
【０２２８】
電源部１６１２は、第１通信機器１０に含まれたハードウェアコンポーネントに電力を供給する。電源部１６１２は、バッテリー及び交流電源のような一つ以上の電源を備える。第１通信機器１０は電源部１６１２を備えず、外部電源提供部（図示せず）と連結される連結部（図示せず）を備える。
【０２２９】
プロセッサ１６１１は、第１通信機器１０の全般的な動作を制御するものであり、一つ以上のプロセッサと呼ばれる。プロセッサ１６１１が一つ以上のプロセッサと呼ばれるのは、図１６Ａの場合にプロセッサ１６１１を単一チップ状に示したが、第１通信機器１０の機能によってプロセッサ１６１１を複数のプロセッサに分割して運用できるからである。
【０２３０】
プロセッサ１６１１は、保存部１６０７に保存されたオペレーティングシステム１７０１及び各種モジュール１７０２〜１７１９を用いて、ユーザ入力部１６０１、センシング部１６０２、タッチスクリーン１６０３、カメラ１６０３、オーディオ入力部１６０５、オーディオ出力部１６０６、保存部１６０７、第１通信部１６０８、第２通信部１６０９、ポート１６１０及び電源部１６１２を全般的に制御できる。したがって、プロセッサ１６１１は、制御器やマイクロプロセッサー、デジタル信号処理器と呼ばれる。またプロセッサ１６１１は、オペレーティングシステム１７０１及びＵＩモジュール１７０６を用いて、ユーザ入力部１６０１、センシング部１６０２、タッチスクリーン１６０３、カメラ１６０４、及びオーディオ入力部１６０５を用いてユーザインターフェースを提供する。
【０２３１】
プロセッサ１６１１は、本発明の好適な実施形態によるコンテンツ共有方法に関する少なくとも一つのプログラムを行わせ、前述した図３、図６、図１０、図１３、図１５に示したフローチャートのうち一つのフローチャートを行える。プロセッサ１６１１は、上記プログラムを保存部１６０７からリードして行わせるか、または第１通信部１６０８を通じて連結されたサーバ６０からダウンロードして行わせる。この時、サーバ６０は、アプリケーション提供サーバまたはアプリケーションマーケットサーバと呼ばれる。
【０２３２】
しかし、プロセッサ１６１１は、サーバ６０に保存されている本発明の好適な実施形態によるコンテンツ共有方法に関する少なくとも一つのプログラムを行わせて、コンテンツ関連情報に基づいたコンテンツ実行情報を受信してタッチスクリーン１６０３に表示し、ユーザからコンテンツ共有要求承認が受信されれば、第２通信機器２０にコンテンツ実行情報を伝送するように動作する。プロセッサ１６１１は、第１通信機器１０内の各種ハードウェアコンポーネントとプロセッサ１６１１との間のインターフェース機能部を備えると理解される。
【０２３３】
図１６Ｂを参照すれば、第２通信機器２０は、ユーザ入力部１６１２、センシング部１６１３、タッチスクリーン１６１４、カメラ１６１５、オーディオ入力部１６１６、オーディオ出力部１６１７、電源部１６１８、プロセッサ１６１９、保存部１６２０、第１通信部１６２１、第２通信部１６２２、及びポート１６２３を備えるが、これらに制限されるものではない。しかし、第２通信機器２０の構成は図１６Ｂに示したところに制限されるものではない。前述したように、図１６Ｂに示した第２通信機器２０の機能ブロック図は、図１６Ａに示した第１通信機器１０の機能ブロック図とその本質的な機能が同一または類似しているので、重なる説明を回避するために以下では説明を略する。
【０２３４】
また、第２通信機器２０の保存部１６２０も、図１７に示したように、モジュール別に分類した少なくとも一つのプログラム及び／または命令語セットを保存する。保存部１６２０に保存される外部機器制御モジュール１７１３は、第１通信モジュール１６０２と連動して図１３に示したインタラクティブサービスを、第ｎ＋１機器４０＿１で続けて行うように制御する機能をさらに行える。
【０２３５】
保存部１６２０は、前述した保存部１６０７のように、図１７に示したプログラム及び／または命令語セットのうちアプリケーションモジュール１７１０に含まれるモジュールを保存しないか、またはアプリケーションモジュールを示す表示情報及びアプリケーションモジュールの位置情報のみ保存する。これによる第２通信機器２０の動作は、前述した保存部１６０７で説明した通りである。
【０２３６】
図１８Ａは、図１に示した第１機器３０＿１の機能ブロック図であり、図１８Ｂは、図１に示した第ｎ＋１機器４０＿１の機能ブロック図であり、第１機器３０＿１及び第ｎ＋１機器４０＿１は、それぞれ通信機能を持つＴＶの場合である。図１８Ａ及び図１８Ｂに示したように、第１機器３０＿１及び第ｎ＋１機器４０＿１の機能ブロック図は同一または類似している。しかし、第１機器３０＿１及び第ｎ＋１機器４０＿１は、互いに異なる種類の機器である場合に機能ブロック図に差がありうる。
【０２３７】
図１８Ａを参照すれば、第１機器３０＿１は、無線通信部１８０１、通信部１８０２、放送信号受信部１８０３、保存部１８０４、プロセッサ１８０５、映像処理部１８０６、ディスプレイ部１８０７、オーディオ処理部１８０８、オーディオ出力部１８０９、及びオーディオ入力部１８１０を備えるが、これらに制限されるものではない。
【０２３８】
無線通信部１８０１は、遠隔制御器（図示せず）と無線通信可能に構成される。すなわち、遠隔制御器がＩＲ伝送機で構成されれば、無線通信部１８０１は、ＩＲ受信機で構成されて遠隔制御器から伝送される赤外線信号を受信し、復調してプロセッサ１８０５に伝送する。しかし、遠隔制御器がＲＦモジュールで構成されれば、無線通信部１８０１は、ＲＦモジュールで構成されて遠隔制御器から伝送されるＲＦ信号を受信してプロセッサ１８０５に伝送する。しかし、無線通信部１８０１は、前述したＩＲモジュール及びＲＦモジュールに制限されるものではない。すなわち、ブルートゥースなどの近距離通信基盤で構成される。
【０２３９】
通信部１８０２は、図１６の第２通信部１６０９で言及したような近距離無線通信に基づいて、第１通信機器１０と連結されてデータを送受信するか、または図１のネットワーク５０を介してサーバ６０または第ｎ＋１機器４０＿１と連結されてデータを送受信する。したがって、通信部１８０２は、図１６に示した第１通信部１６０８のように構成されてサーバ６０または第ｎ＋１機器４０＿１と通信する第１通信部（図示せず）と、図１６に示した第２通信部１６０９のように構成されて第１通信機器１０と通信する第２通信部（図示せず）とを備える。
【０２４０】
放送信号受信部１８０３は、チューナー（図示せず）を通じて受信される放送信号を映像信号及びオーディオ信号に分離して出力する。すなわち、チューナーは、アンテナを通じて受信される放送信号のうちユーザによって選択されたチャネルまたは既に保存されたチャネルに当る放送信号を選択する。また、選択された放送信号を中間周波数信号あるいはベースバンド映像またはオーディオ信号に変換する。中間周波数信号あるいはベースバンド映像またはオーディオ信号は、プロセッサ１８０５に入力される。
【０２４１】
保存部１８０４は、プロセッサ１８０５での各種信号処理及び制御のための少なくとも一つのプログラムを保存し、第１通信機器１０の認証のための情報、及び第１機器３０＿１の情報などを保存する。第１通信機器１０の認証のための情報は、第１通信機器１０のユーザ情報を含む。プロセッサ１８０５での各種信号処理及び制御のための少なくとも一つのプログラムは、前述した図１５のフローチャートのようにコンテンツ実行情報を生成し、生成されたコンテンツ実行情報を第ｎ＋１２機器４０＿１に伝送するための少なくとも一つのプログラムを含む。
【０２４２】
プロセッサ１８０５は、第１機器３０＿１の全機能を制御し、通信部１８０２を通じて第１通信機器１０とデータを送受信するように制御する。プロセッサ１８０５は、保存部１８０４に保存された少なくとも一つのプログラムをローディングして本発明の好適な実施形態によるＵＩ画面を構成し、映像処理部１８０６を通じてディスプレイ部１８０７に表示できる。
【０２４３】
ＵＩ画面は、例えば、再生するコンテンツを選択するＵＩ画面を含む。また、ＵＩ画面は、図１３のフローチャートで言及されたように、第ｎ＋１機器４０＿１でインタラクティブサービスを続けて行う場合、それに必要なＵＩ画面、コンテンツ実行情報受信の時の受信状態を示すＵＩ画面を含む。
【０２４４】
プロセッサ１８０５は、通信部１８０２を通じて連結された第１通信機器１０またはサーバ６０または第ｎ＋１機器４０＿１とコンテンツ再生に関するデータを送受信できる。このために、プロセッサ１８０５は、保存部１８０４に保存された少なくとも一つのプログラムと資源を用いる。プロセッサ１８０５は、図１６Ａのプロセッサ１６１１のように、少なくとも一つ以上のプロセッサで構成される。
【０２４５】
映像処理部１８０６は、映像デコーダ（図示せず）及びスケーラー（図示せず）を備える。映像処理部１８０６は、放送信号受信部１８０３から出力される映像信号を画面に表示されるように処理する。映像デコーダは、逆多重化された映像信号を復号化し、スケーラーは、復号化された映像信号の解像度をディスプレイ部１８０７から出力するようにスケーリングを行う。映像デコーダは、多様な規格のデコーダを備えられる。例えば、逆多重化された映像信号がＭＰＥＧ−２規格の符号化された映像信号である場合、ＭＰＥＧ−２デコーダによって復号化される。例えば、逆多重化された映像信号が、ＤＭＢ（Ｄｉｇｉｔａｌ Ｍｕｌｔｉｍｅｄｉａ Ｂｒｏａｄｃａｓｔｉｎｇ）方式またはＤＶＢ−ＨによるＨ．２６４規格の符号化された映像信号である場合、Ｈ．２６４デコーダによって復号化される。
【０２４６】
ディスプレイ部１８０７は、映像処理部１８０６で処理された映像を出力する。出力される映像は、放送信号受信部１８０３から受信された映像、ＵＩ画面、及び通信部１８０２を通じてサーバ６０から受信されるコンテンツの映像を含む。しかし、ディスプレイ部１８０７は、タッチスクリーンで構成されて入力装置としても使われる。
【０２４７】
オーディオ処理部１８０８は、放送信号受信部１８０３から出力されるオーディオ信号及び、通信部１８０２を通じて受信されるコンテンツに含まれるオーディオを処理してオーディオ出力部１８０９に出力する。オーディオ出力部１８０９は、ステレオ信号、３．１チャネル信号または５．１チャネル信号を出力するなど多様な形態で具現される。
【０２４８】
また、オーディオ処理部１８０８は、オーディオ入力部１８１０から入力される信号を処理してプロセッサ１８０５に伝送する。オーディオ入力部１８１０は、マイクで構成される。
【０２４９】
図１８Ｂを参照すれば、第ｎ＋１機器４０＿１は、放送信号受信部１８１１、通信部１８１２、無線通信部１８１３、プロセッサ１８１４、保存部１８１５、映像処理部１８１６、ディスプレイ部１８１８、オーディオ処理部１８１７、オーディオ出力部１８１９、及びオーディオ入力部１８２０を備えるが、これらに制限されるものではない。
【０２５０】
前述したように、図１６Ａ及び図１６Ｂに示した第１通信機器１０及び第２通信機器２０のように、図１８Ｂに示した第２外部機器４０の機能ブロック図は、図１８Ａに示した第１機器３０＿１の機能ブロック図とその本質的な機能が同一または類似しているので、重なる説明を回避するために以下では説明を略する。しかし、図１６Ａで説明したように、図１８Ａ及び図１８Ｂにそれぞれ示した第１機器３０＿１及び第ｎ＋１機器４０＿１の各機能ブロック図の詳細な動作及び規格は差がありうる。
【０２５１】
例えば、第１機器３０＿１の保存部１８０４に保存されたプログラムの内容と、第ｎ＋１機器４０＿１の保存部１８１５に保存されたプログラムの内容との間に差があり、第１機器３０＿１のディスプレイ部１８０７及び通信部１８０２などの規格と、第ｎ＋１機器４０＿１のディスプレイ部１８１８及び通信部１８１２の規格とは互いに異なる。
【０２５２】
図１９は、図１３及び図１５に示した本発明の好適な実施形態によるコンテンツ共有方法で第１通信機器１０のフローチャートであり、プロセッサ１６１１によって保存部１６０７に保存された少なくとも一つのプログラム及び資源を用いて行われる。
【０２５３】
図１９を参照すれば、第１通信機器１０及び第２通信機器２０がインタラクティブサービスを行っている時（Ｓ１９０１）、第１通信機器１０のプロセッサ１６１１は、第１機器３０＿１からコンテンツ関連情報を受信する（Ｓ１９０２）。コンテンツ関連情報受信は、図１３に説明したように、第１通信機器１０の周辺機器についてのモニタリングまたは連結された第１機器３０＿１についてのモニタリングによって行われるか、または、コンテンツ関連情報獲得命令入力またはコンテンツ関連情報獲得命令生成によって行われる。
【０２５４】
プロセッサ１６１１は、受信されたコンテンツ関連情報に基づいてコンテンツ実行情報を生成する（Ｓ１９０３）。
【０２５５】
図２０は、図１９のコンテンツ関連情報に基づいてコンテンツ実行情報を生成する過程についてのフローチャートの一例である。図２０を参照すれば、プロセッサ１６１１は、タッチスクリーン１６０３に受信されたコンテンツ関連情報を表示する（Ｓ２００１）。表示されるコンテンツ関連情報に基づいてユーザの承認情報（または確認情報）が受信されれば（Ｓ２００２）、プロセッサ１６１１は、保存部１６０７に保存された第１通信モジュール１７０２を用いてコンテンツ共有要求メッセージを、第１通信部１６０８を通じて第２通信機器２０に伝送する（Ｓ２００３）。
【０２５６】
これについての応答として、第１通信部１６０８を通じて第２通信機器２０から受諾メッセージが受信されれば（Ｓ２００４）、プロセッサ１６１１は、コンテンツ実行情報を生成する（Ｓ２００５）。しかし、段階Ｓ２００２で第１通信機器１０のユーザから、表示されるコンテンツ関連情報に関する承認情報が受信されないか、または段階Ｓ２００４で第２通信機器２０から受諾メッセージが受信されなければ、プロセッサ１６１１は、コンテンツ共有に関する動作を終了し、インタラクティブサービス実行を維持する（Ｓ２００６）。
【０２５７】
図２１は、図１９のコンテンツ関連情報に基づいてコンテンツ実行情報を生成する過程についてのフローチャートの他の例示図である。図２１を参照すれば、第１通信機器１０のプロセッサ１６１１は、タッチスクリーン１６０３に受信されたコンテンツ関連情報を表示する（Ｓ２１０１）。表示されるコンテンツ関連情報に関するユーザ承認情報が受信されれば（Ｓ２１０２）、プロセッサ１６１１は、コンテンツ関連情報に基づいてコンテンツ実行情報を生成する（Ｓ２１０３）。しかし、ユーザ承認情報が受信されなければ、プロセッサ１６１１は、コンテンツ共有に関する動作を終了し、インタラクティブサービス実行を維持する（Ｓ２１０４）。
【０２５８】
一方、図１９の段階Ｓ１９０３でコンテンツ実行情報が生成されれば、プロセッサ１６１１はコンテンツ実行情報を、第１通信部１６０８を通じて第２通信機器２０に伝送する（Ｓ１９０４）。
【０２５９】
図２２は、図１５のフローチャートにおいて、第１通信機器１０のフローチャートである。第１通信機器１０のプロセッサ１６１１によって保存部１６０７に保存された少なくとも一つのプログラム及び資源を用いて行われる。
【０２６０】
図１５で説明したような過程を通じて、第１通信機器１０及び第２通信機器２０がインタラクティブサービスを行っている時（Ｓ２２０１）、第１通信機器１０のプロセッサ１６１１は、第１機器３０＿１からコンテンツ関連情報を受信する（Ｓ２２０２）。コンテンツ関連情報受信は、図１３に説明したように、第１通信機器１０の周辺機器についてのモニタリングまたは連結された第１機器３０＿１についてのモニタリングによって行われるか、またはコンテンツ関連情報獲得命令の入力または生成によって行われる。
【０２６１】
受信されたコンテンツ関連情報がタッチスクリーン１６０３に表示され（Ｓ２２０３）、表示されるコンテンツ関連情報に関する第１通信機器１０のユーザの承認情報が受信されれば（Ｓ２２０４）。プロセッサ１６１１は、コンテンツ共有要求メッセージを第２通信機器２０に伝送する（Ｓ２２０５）。
【０２６２】
これによって、第２通信機器２０から受諾メッセージが受信されれば（Ｓ２２０６）、プロセッサ１６１１は、第２通信モジュール１７０３を用いて第２通信部１６０９またはポート１６１０を通じて第１機器３０＿１にコンテンツ実行情報伝送を要求する信号を伝送し（Ｓ２２０７）、インタラクティブサービスを維持する（Ｓ２２０８）。
【０２６３】
段階Ｓ２２０４で、第１通信機器１０のユーザからコンテンツ関連情報に関する承認情報が受信されないか、または段階Ｓ２２０６で受諾メッセージが受信されなければ、プロセッサ１６１１はコンテンツ共有動作を終了し、インタラクティブサービス実行を維持する（Ｓ２２０８）。
【０２６４】
図２３は、本発明の好適なさらに他の実施形態によるコンテンツ共有方法において、第１通信機器１０のフローチャートであり、プロセッサ１６１１によって保存部１６０７に保存された少なくとも一つのプログラム及び資源を用いて行われる。図２３は、図１９のフローチャートに第２通信機器２０からコンテンツ再生位置情報要求信号の受信による機能が加えられた例である。よって、図２３の段階Ｓ２３０１〜Ｓ２３０４は図１９の段階Ｓ１９０１〜１９０４と同一であるので、以下で説明を略する。
【０２６５】
図２３の段階Ｓ２３０５で、第１通信部１６０８を通じて第２通信機器２０から再生位置情報要求信号を受信すれば（Ｓ２３０５）、第１通信機器１０のプロセッサ１６１１は、第２通信部１６０９またはポート１６１０を通じて第１機器３０＿１に再生位置情報要求信号を伝送する（Ｓ２３０６）。第２通信機器２０から再生位置情報要求信号が受信されるのは、コンテンツがリアルタイムで提供される放送コンテンツではない場合である。
【０２６６】
これによって、第１機器３０＿１から再生位置情報が受信されれば（Ｓ２３０７）、プロセッサ１６１１は、第１通信部１６０８を通じて第２通信機器２０に再生位置情報を伝送する（Ｓ２３０８）。段階Ｓ２３０７で再生位置情報が受信されなければ、プロセッサ１６１１は、タッチスクリーン１６０３に再生位置情報が受信されていない状態を示すメッセージを表示する（Ｓ２３０９）。これによって第１通信機器１０のユーザは、再生位置情報提供に関する措置をとる。
【０２６７】
段階Ｓ２３０５で、第２通信機器２０から再生位置情報要求信号が受信されなければ、第１通信機器１０ユーザは、第１機器３０＿１を通じてコンテンツを視聴または聴取し、第２通信機器２０のユーザは、第ｎ＋１機器４０＿１を通じてコンテンツを視聴または聴取しつつ、第１通信機器１０と第２通信機器２０との双方向通信サービスを用いてコンテンツ視聴経験を共有する（Ｓ２３１０）。この時、コンテンツがリアルタイムで提供される放送コンテンツではない場合に、第１通信機器１０のユーザと第２通信機器２０のユーザとは、コンテンツについての視聴または聴取時点に差がありうる。
【０２６８】
図２４は、図１３及び図１５の本発明の好適な一実施形態によるコンテンツ共有方法における、第２通信機器２０のフローチャートであり、第２通信機器２０のプロセッサ１６１９によって保存部１６２０に保存された少なくとも一つのプログラム及び資源を用いて行われる。
【０２６９】
前述した図１３及び図１５で説明したように、第２通信機器２０が第１通信機器１０とインタラクティブサービスを行っている間に（Ｓ２４０１）、第２通信機器２０の第１通信部１６２１を通じて第１通信機器１０からコンテンツ実行情報を受信する（Ｓ２４０２）。
【０２７０】
図２５は、図２４のコンテンツ実行情報を受信する過程についての詳細なフローチャートである。図２５を参照すれば、第２通信機器２０のプロセッサ１６１９は、コンテンツ共有要求メッセージを受信すれば（Ｓ２５０１）、タッチスクリーン１６１４にコンテンツ共有要求メッセージを表示する（Ｓ２５０２）。これによって第２通信機器２０のユーザから、タッチスクリーン１６１４を通じて受諾信号が受信されれば（Ｓ２５０３）、プロセッサ１６１９は、受諾メッセージを第１通信部１６２１を通じて第１通信機器１０に伝送する（Ｓ２５０４）。これによってプロセッサ１６１９は、第１通信部１６０９を通じて第１通信機器１０からコンテンツ実行情報を受信する（Ｓ２５０５）。
【０２７１】
段階Ｓ２５０３で、受諾信号が入力されなければ、第２通信機器２０のプロセッサ１６１９は、拒絶メッセージを第１通信部１６０９を通じて第１通信機器１０に伝送し（Ｓ２５０６）、インタラクティブサービスを維持する（Ｓ２５０７）。これによって第１通信機器１０のユーザ及び第２通信機器２０のユーザは、コンテンツを共有せずにインタラクティブサービスを用い続ける。
【０２７２】
一方、図２４の段階Ｓ２４０３で第２通信機器２０のプロセッサ１６１９は、受信されたコンテンツ実行情報を用いて第ｎ＋１機器４０＿１におけるコンテンツ再生を制御する。
【０２７３】
図２６は、図１３の本発明の好適な他の実施形態によるコンテンツ共有方法において、第２通信機器２０のフローチャートであり、図２６に示したフローチャートに、前述した図１３のように、第ｎ＋１機器４０＿１でインタラクティブサービスを続けて行う機能を加えた例である。よって、図２６の段階Ｓ２６０１〜Ｓ２６０３は、図２４の段階Ｓ２４０１〜Ｓ２４０３と同一であるので、以下では説明を略する。
【０２７４】
段階Ｓ２６０４で、第２通信機器２０のプロセッサ１６１９は、インタラクティブサービスを第ｎ＋１機器４０＿１で続けて行うように、第２通信部１６２２を通じて第ｎ＋１機器４０を制御する（Ｓ２６０４）。
【０２７５】
図２７は、本発明の好適なさらに他の実施形態によるコンテンツ共有方法において第２通信機器２０のフローチャートであり、第１通信機器１０が図２３に示したように動作する時、第２通信機器２０のフローチャートである。図２７の段階Ｓ２７０１〜Ｓ２７０３は、図２４の段階Ｓ２４０１〜Ｓ２４０３と同一であるので、以下では説明を略する。
【０２７６】
段階Ｓ２７０４で、第２通信機器２０のプロセッサ１６１９は、第１通信部１６２１を通じてコンテンツ再生位置情報要求信号を第１通信機器１０に伝送する。これによって第１通信機器１０から再生位置情報を受信すれば（Ｓ２７０５）、プロセッサ１６１９は、受信された再生位置情報を用いて第２通信部１６２２またはポート１６２３を通じて第ｎ＋１機器４０＿１で再生されるコンテンツ再生位置を制御する（Ｓ２７０６）。
【０２７７】
図２８は、本発明の好適な他の実施形態によるコンテンツ共有システムの構成図であり、インタラクティブサービスが１：複数（ｎ−１）で行われる例である。
【０２７８】
すなわち、図２８は、第１通信機器２８００＿１が第２ないし第ｎ通信機器２８００＿２〜２８００＿ｎと同時に、図１で言及したようにインタラクティブサービスを行っている時、第１通信機器２８００＿１が第１機器２８１０＿１で再生されているコンテンツを、第２ないし第ｎ通信機器２８００＿２〜２８００＿ｎに連結可能な周辺機器（または外部機器）を用いて共有できる場合である。
【０２７９】
図２８のように一つの機器が複数機器とインタラクティブサービスを行っている時、インタラクティブサービスに参加しているあらゆる通信機器は、それぞれ連結されている周辺機器で再生されているコンテンツの共有を、インタラクティブサービスに参加している他の通信機器に要求する。
【０２８０】
例えば、第ｎ通信機器２８００＿ｎが第ｎ機器２８１０＿ｎに再生されているコンテンツの共有を、第１ないし第ｎ−１通信機器２８００＿１〜２８００＿ｎ−１に要求する。これによって、第１ないし第ｎ通信機器２８００＿１〜２８００＿ｎのユーザは、各通信機器２８００＿１〜２８００＿ｎにそれぞれ連結されている第１ないし第ｎ機器２８１０＿１〜２８１０＿ｎを通じてリアルタイムでコンテンツを共有しつつ、維持しているインタラクティブサービスに基づいて視聴経験を共有する。
【０２８１】
第１ないし第ｎ通信機器２８００＿１〜２８００＿ｎは、図１に示した第１通信機器１０と同種の機器であるが、他種の機器であってもよい。しかし、第１ないし第ｎ通信機器２８００＿１〜２８００＿ｎは、少なくとも前述したインタラクティブサービスを行え、コンテンツ共有のために連結された周辺機器を制御できる少なくとも一つのプログラム及び資源を保存する。
【０２８２】
第１〜第ｎ機器２８１０＿１〜２８１０＿ｎは、図１の第１機器３０と同種の機器であるが、他種の機器であってもよい。しかし、第１ないし第ｎ外部機器２８１０＿１〜２６１０＿ｎは、少なくとも前述したインタラクティブサービスを行っている時、連結された通信機器２８００＿１〜２６００＿ｎによって制御されてコンテンツを再生できる機能を持つ。このために、第１〜第ｎ機器２８１０＿１〜２８１０＿ｎは、少なくとも一つのプログラム及び資源を保存する。
【０２８３】
図２９は、本発明の好適なさらに他の実施形態によるコンテンツ共有システムの構成図である。図２９は、図１に示した第２通信機器２０及び第ｎ＋１機器４０＿１が第３通信機器２９１０に変更された場合である。
【０２８４】
すなわち、図２９は、図１のように第１通信機器１０が第１機器３０＿１で再生されているコンテンツ共有を要求すれば、第３通信機器２９１０で共有を要求したコンテンツを再生する場合である。よって、第３通信機器２９１０の画面は、図２９に示したように、コンテンツ再生画面２９１１及びインタラクティブサービス画面２９１２を同時に表示する。このように表示可能に、第３通信機器２９１０は少なくとも一つのプログラム及び資源を持つ。第３通信機器２９１０でコンテンツ再生画面２９１１及びインタラクティブサービス画面２９１２が表示される領域は、インタラクティブサービスの種類によって定められるが、インタラクティブサービスの種類に関係なく既定のディスプレイ領域を用いる。
【０２８５】
図３０は、図２９に示したコンテンツ共有システムに基づいた本発明の好適なさらに他の実施形態によるコンテンツ共有方法のフローチャートである。
【０２８６】
図３０を参照すれば、第１機器３０＿１がコンテンツを再生しており（Ｓ３００１）、第１通信機器１０及び第３通信機器２９１０がインタラクティブサービスを行う時（Ｓ３００２）、前述した図１３で説明したような方式で、第１通信機器１０は第１機器３０＿１からコンテンツ関連情報を受信する（Ｓ３００２ないしＳ３００６）。これによって第１通信機器１０は、受信されたコンテンツ関連情報に基づいてコンテンツ実行情報を生成及び表示する（Ｓ３００７）。図３０は、コンテンツ関連情報を受信した後、コンテンツ実行情報を生成及び表示するまで、前述した図１３及び図１５で言及したような第１通信機器１０のユーザの承認過程、第３通信機器２９１０へのコンテンツ共有要求及び第３通信機器２９１０の受諾過程が選択的に加えられるように変形される。
【０２８７】
第１通信機器１０は、生成されたコンテンツ実行情報を第３通信機器２９１０に伝送する（Ｓ３００８）。これによって第３通信機器２９１０は、サーバ６０にコンテンツを要求する（Ｓ３００９）。サーバ６０からコンテンツが受信されれば（Ｓ３０１０）、第３通信機器２９１０は、図２９に示したように受信されたコンテンツを再生しつつ（Ｓ３０１１）、第１通信機器１０とインタラクティブサービスを維持して共有コンテンツの視聴経験を共有する（Ｓ３０１１）。第１通信機器１０と第３通信機器２９１０とのインタラクティブサービスは、前述した段階Ｓ３００３〜Ｓ３０１１が行われる間に維持されたと理解される。
【０２８８】
図３１は、本発明の好適なさらに他の実施形態によるコンテンツ共有システムの構成図であり、第１通信機器１０と第２通信機器２０とのインタラクティブサービス基盤の映像通話時、第１通信機器１０の周辺機器である第１機器３０で再生されている映像を第２通信機器２０の一部領域３１０３に再生する場合の画面の例である。図３１に示した第１通信機器１０及び第２通信機器２０の画面は、図７Ｃに示した、選択された他の通信サービスに関する情報７３１を含む。
【０２８９】
図３２は、本発明の好適なさらに他の実施形態によるコンテンツ共有システムの構成図であり、図１に示した第１通信機器１０及び第１機器３０を変形した例である。すなわち、図３２は、第１通信機器１０でコンテンツ再生中の時、第２通信機器２０とインタラクティブサービスを試みて行い、第１通信機器１０で再生中のコンテンツの共有を、第２通信機器２０に要求して共有する場合である。
【０２９０】
図３３は、図３１のコンテンツ共有システムに基づいた本発明の好適なさらに他の実施形態によるコンテンツ共有方法のフローチャートである。図３４は、図３２に示した第１通信機器１０でコンテンツ再生中の時に第２通信機器２０とインタラクティブサービスを行う過程についての画面の例である。
【０２９１】
図３３及び図３４を参照して説明すれば、第１通信機器１０が図３４の画面３４１０のようにコンテンツを再生中の時（Ｓ３３０１）、第１通信機器１０のユーザが、図３４の画面３４２０に示したようにメニュー画面を用いてインタラクティブサービスを要求すれば、第１通信機器１０に選択可能な双方向通信サービスについてのアイコンが、図３４の３４３０に示したように表示される。表示されるアイコンに基づいてチャットオンを選択してインタラクティブサービスが行われれば、第１通信機器１０の画面は、３４４０に示したように表示される。画面３４４０は、現在再生されるコンテンツと、インタラクティブサービスに基づいた画面とが同時に表示される例である。しかし、前述した動作を行うための第１通信機器１０での画面例は、図３４に示した通りに制限されるものではない。
【０２９２】
このようにインタラクティブサービスが行われている時（Ｓ３３０２）、第１通信機器１０のユーザによってコンテンツ関連情報獲得命令が入力されれば（Ｓ３３０３）、第１通信機器１０は、第１通信機器１０で再生中のコンテンツ関連情報を獲得する（Ｓ３３０４）。
【０２９３】
第１通信機器１０は、獲得されたコンテンツ関連情報に基づいてコンテンツ実行情報を生成し、ユーザが確認できるように表示する（Ｓ３３０５）。第１通信機器１０は、コンテンツ実行情報を第２通信機器２０に伝送する（Ｓ３３０６）。これによって第２通信機器２０は、第ｎ＋１機器４０＿１にコンテンツ再生制御信号を伝送する（Ｓ３３０７）。第ｎ＋１機器４０＿１は、サーバ６０にコンテンツ要求信号を伝送し（Ｓ３３０８）、サーバ６０からコンテンツが受信されれば（Ｓ３３０９）、第ｎ＋１機器４０＿１はコンテンツを再生する。
【０２９４】
第１通信機器１０及び第２通信機器２０は、インタラクティブサービスを維持しつつ共有するコンテンツの視聴経験を共有するメッセージを送受信する（Ｓ３３１１）。
【０２９５】
図３５は、本発明の好適なさらに他の実施形態によるコンテンツ共有システムの構成図であり、第１通信機器１０及び第２通信機器２０がインタラクティブサービス基盤の映像通話を行う時、コンテンツ共有状態情報３５０１、選択された機器の情報３５０２、コンテンツ関連情報の伝送時に他の通信サービスを使った場合に使われた通信サービス情報３５０３がいずれも表示される画面の例である。これによって、ユーザは、現在いかなる機器を通じてコンテンツを共有しており、コンテンツ関連情報は、いかなる通信サービスを用いて伝送されたかが直感的に分かる。
【０２９６】
図３６は、本発明の好適なさらに他の実施形態によるコンテンツ共有方法のフローチャートであり、再生中のコンテンツを直接伝送する場合である。図３６のフローチャートが適用されるコンテンツ共有システムは、第１機器３０＿１、第１通信機器１０、第２通信機器２０、第ｎ＋１機器４０＿１で構成されるが、これらに制限されるものではない。
【０２９７】
第１通信機器１０及び第２通信機器２０がインタラクティブサービスを実行中の時（Ｓ３６０１）、第１機器３０＿１でコンテンツが再生されれば、第１機器３０＿１は、第１通信機器１０に再生されるコンテンツの情報を伝送する（Ｓ３６０３）。段階Ｓ３６０３は、第１機器３０＿１のコンテンツ再生時に第１通信機器２０に再生されるコンテンツの情報を自動で伝送するように設定することで行われるか、または第１通信機器１０が第２通信機器２０とインタラクティブサービスを行いつつ周辺機器をモニタリングすることで行われるか、インタラクティブサービスと関係なく第１通信機器１０の周辺機器についてのモニタリングによって行われる、段階Ｓ３６０３の実行は前述したところに制限されるものではない。
【０２９８】
第１機器３０＿１からコンテンツの情報が受信されることで、第１通信機器１０は第２通信機器２０にコンテンツ共有要求信号を伝送する（Ｓ３６０４）。コンテンツ共有要求信号は、インタラクティブサービスがメッセンジャーサービスである時、図２の領域２０２に示したような形態で提供される。第２通信機器２０のユーザが領域２０２に示したメッセージのうち「Ｃｌｉｃｋ ｈｅｒｅ」をタッチするか、またはそれに相応する空間ジェスチャーを入力するか、またはユーザの音声信号を入力すれば、第２通信機器２０は、コンテンツ共有受諾信号を第１通信機器１０に伝送する（Ｓ３６０５）。
【０２９９】
コンテンツ共有受諾信号が受信されれば、第１通信機器１０は、第２通信機器２０にＲＴＰ基盤のコンテンツ伝送セッションを要求する（Ｓ３６０６）。第２通信機器２０からこれを受諾する信号が受信されれば（Ｓ３６０７）。第１通信機器１０は、第１機器３０＿１にコンテンツ伝送を要求する（Ｓ３６０８）。これによって第１機器３０＿１は、第１通信機器１０に再生中のコンテンツを伝送する（Ｓ３６０９）。第１通信機器１０は、受信されたコンテンツをＲＴＰ基盤で第２通信機器２０に伝送する（Ｓ３６１０）。したがって、第１通信機器１０及び第２通信機器２０は、インタラクティブサービスを維持しつつコンテンツを伝送する。第２通信機器２０は、受信されたコンテンツを第ｎ＋１機器４０＿１に伝送する（Ｓ３６１１）。第ｎ＋１機器４０＿１は、受信されたコンテンツを再生する（Ｓ３６１２）。
【０３００】
図３６のフローチャートは、段階Ｓ３６１３で言及したように、第１機器３０＿１が、段階Ｓ３６０８でのコンテンツ伝送要求に応じて第ｎ＋１機器４０＿１にコンテンツを直接伝送するように変形される。段階Ｓ３６１３に基づいた第１機器３０＿１及び第ｎ＋１機器４０＿１の動作は、図１５の段階Ｓ１５１２〜Ｓ１５１４の動作のように行われる。
【０３０１】
本発明の実施形態によるコンテンツ共有方法をコンピュータで具現する方法を行わせる命令語を含む一つ以上のプログラムは、コンピュータで読み取り可能な記録媒体にコンピュータで読み取り可能なコードとして記録される。コンピュータで読み取り可能な記録媒体は、コンピュータシステムによって読み取られるデータが保存されるあらゆる種類の保存装置を含む。コンピュータで読み取り可能な記録媒体の例には、ＲＯＭ、ＲＡＭ、ＣＤ−ＲＯＭ、磁気テープ、フロッピー（登録商標）ディスク、光データ保存装置などがある。またコンピュータで読み取り可能な記録媒体は、ネットワークに連結されたコンピュータシステムに分散され、分散方式でコンピュータで読み取り可能なコードとして保存されて行われる。
【０３０２】
これまで本発明についてその好適な実施形態を中心として説明した。当業者ならば、本発明が本発明の本質的な特性から逸脱しない範囲で変形された形態で具現されるということを理解できるであろう。したがって、開示された実施形態は限定的な観点ではなく説明的な観点で考慮されねばならない。本発明の範囲は前述した説明ではなく特許請求の範囲に示されており、それと同等な範囲内にあるあらゆる差は本発明に含まれていると解釈されねばならない。
【産業上の利用可能性】
【０３０３】
本発明は、コンテンツ共有関連の技術分野に好適に用いられる。
【符号の説明】
【０３０４】
１０  第１通信機器
２０  第２通信機器
３０＿１  第１機器
３０＿２  第２機器
３０＿ｎ  第ｎ機器
４０＿１  第ｎ＋１機器
４０＿２  第ｎ＋２機器
４０＿ｍ  第ｎ＋ｍ機器
５０  ネットワーク
【図１】
2014021988.tif 000003
【図２】
2014021988.tif 000004
【図３】
2014021988.tif 000005
【図４Ａ】
2014021988.tif 000006
【図４Ｂ】
2014021988.tif 000007
【図４Ｃ】
2014021988.tif 000008
【図４Ｄ】
2014021988.tif 000009
【図５Ａ】
2014021988.tif 000010
【図５Ｂ】
2014021988.tif 000011
【図５Ｃ】
2014021988.tif 000012
【図５Ｄ】
2014021988.tif 000013
【図５Ｅ】
2014021988.tif 000014
【図６】
2014021988.tif 000015
【図７Ａ】
2014021988.tif 000016
【図７Ｂ】
2014021988.tif 000017
【図７Ｃ】
2014021988.tif 000018
【図８】
2014021988.tif 000019
【図９】
2014021988.tif 000020
【図１０】
2014021988.tif 000021
【図１１Ａ】
2014021988.tif 000022
【図１１Ｂ】
2014021988.tif 000023
【図１１Ｃ】
2014021988.tif 000024
【図１２】
2014021988.tif 000025
【図１３】
2014021988.tif 000026
【図１４】
2014021988.tif 000027
【図１５】
2014021988.tif 000028
【図１６Ａ】
2014021988.tif 000029
【図１６Ｂ】
2014021988.tif 000030
【図１７】
2014021988.tif 000031
【図１８Ａ】
2014021988.tif 000032
【図１８Ｂ】
2014021988.tif 000033
【図１９】
2014021988.tif 000034
【図２０】
2014021988.tif 000035
【図２１】
2014021988.tif 000036
【図２２】
2014021988.tif 000037
【図２３】
2014021988.tif 000038
【図２４】
2014021988.tif 000039
【図２５】
2014021988.tif 000040
【図２６】
2014021988.tif 000041
【図２７】
2014021988.tif 000042
【図２８】
2014021988.tif 000043
【図２９】
2014021988.tif 000044
【図３０】
2014021988.tif 000045
【図３１】
2014021988.tif 000046
【図３２】
2014021988.tif 000047
【図３３】
2014021988.tif 000048
【図３４】
2014021988.tif 000049
【図３５】
2014021988.tif 000050
【図３６】
2014021988.tif 000051